(57)【要約】  システム情報通信および復号に関するワイヤレス通信システムおよび方法が提供される。一実施形態では、ワイヤレス通信デバイスは、1つまたは複数の既知のビットを受信する。ワイヤレス通信デバイスは、第1の符号化情報ブロックを受信する。ワイヤレス通信デバイスは、第1の符号化情報ブロックを復号して、1つまたは複数の既知のビットに基づいて第1の情報ブロックを生成する。一実施形態では、ワイヤレス通信デバイスは、第1のビットパターンを含む第1の符号化情報ブロックを受信する。ワイヤレス通信デバイスは、第2のビットパターンを含む第2の符号化情報ブロックを受信する。ワイヤレス通信デバイスは、第1のビットパターンと第2のビットパターンとの間の差分が複数のビット変更パターンのサブセット内であるという仮定に基づいて、第1の符号化情報ブロックおよび第2の符号化情報ブロックをジョイント復号する。
2020520599.tif 000002
【特許請求の範囲】
【請求項１】
ワイヤレス通信の方法であって、
ワイヤレス通信デバイスによって、1つまたは複数の既知のビットを受信するステップと、
前記ワイヤレス通信デバイスによって、第1の符号化情報ブロックを受信するステップと、
前記ワイヤレス通信デバイスによって、前記第1の符号化情報ブロックを復号して、前記1つまたは複数の既知のビットに基づいて第1の情報ブロックを生成するステップと
を備える方法。
【請求項２】
前記1つまたは複数の既知のビットを受信するステップが、
前記ワイヤレス通信デバイスによって、第2の符号化情報ブロックを受信するステップと、
前記ワイヤレス通信デバイスによって、前記第2の符号化情報ブロックを復号して、第2の情報ブロックを生成するステップと、
前記ワイヤレス通信デバイスによって、前記第2の情報ブロックから前記1つまたは複数の既知のビットを抽出するステップと
を含む、請求項1に記載の方法。
【請求項３】
前記第1の符号化情報ブロックを受信するステップが、第1の時間期間の間に物理ブロードキャストチャネルから前記第1の符号化情報ブロックを受信するステップを含み、前記第2の符号化情報ブロックを受信するステップが、前記第1の時間期間の前の第2の時間期間の間に前記物理ブロードキャストチャネルから前記第2の符号化情報ブロックを受信するステップを含む、請求項2に記載の方法。
【請求項４】
前記1つまたは複数の既知のビットを受信するステップが、
前記ワイヤレス通信デバイスによって、第1のセルの第1の基地局から、前記1つまたは複数の既知のビットを受信するステップを含み、前記1つまたは複数の既知のビットが、第2のセルに関連付けられる、請求項1に記載の方法。
【請求項５】
前記ワイヤレス通信デバイスによって、前記第2のセルの第2の基地局から、第2の符号化情報ブロックを受信するステップと、
前記ワイヤレス通信デバイスによって、前記第2のセルに関連付けられた前記1つまたは複数の既知のビットに基づいて前記第2の符号化情報ブロックを復号するステップと
をさらに備える、請求項4に記載の方法。
【請求項６】
前記1つまたは複数の既知のビットを受信するステップが、
前記ワイヤレス通信デバイスによって、ハンドオーバメッセージを受信するステップを含み、前記ハンドオーバメッセージが、前記第1のセルと前記第2のセルとの間のハンドオーバに対応する、請求項4に記載の方法。
【請求項７】
前記1つまたは複数の既知のビットを受信するステップが、
システムフレーム番号(SFN)またはハイパーSFNのうちの少なくとも1つに関する1つまたは複数のビットを受信するステップ
を含む、請求項1に記載の方法。
【請求項８】
前記第1の符号化情報ブロックが、物理ブロードキャストチャネル(PBCH)、システム情報ブロック(SIB)、物理ダウンリンク制御チャネル(PDCCH)、物理ダウンリンク共有チャネル(PDSCH)、物理アップリンク制御チャネル(PUCCH)、または物理アップリンク共有チャネル(PUSCH)のうちの少なくとも1つに関連付けられる、請求項1に記載の方法。
【請求項９】
ワイヤレス通信の方法であって、
ワイヤレス通信デバイスによって、第1のビットパターンを含む第1の符号化情報ブロックを受信するステップと、
前記ワイヤレス通信デバイスによって、第2のビットパターンを含む第2の符号化情報ブロックを受信するステップと、
前記ワイヤレス通信デバイスによって、前記第1のビットパターンと前記第2のビットパターンとの間の差分が複数のビット変化パターンのサブセット内であるという仮定に基づいて、前記第1の符号化情報ブロックおよび前記第2の符号化情報ブロックをジョイント復号するステップと
を備える方法。
【請求項１０】
前記ワイヤレス通信デバイスによって、前記ワイヤレス通信デバイスの能力に基づいて、前記複数のビット変化パターンから前記複数のビット変化パターンの前記サブセットを選択するステップ
をさらに備える、請求項9に記載の方法。
【請求項１１】
前記ワイヤレス通信デバイスによって、前記複数のビット変化パターンの各々に関連付けられた発生確率に基づいて、前記複数のビット変化パターンから前記複数のビット変化パターンの前記サブセットを選択するステップ
をさらに備える、請求項9に記載の方法。
【請求項１２】
前記複数のビット変化パターンが、システムフレーム番号(SFN)に関連付けられ、前記ジョイント復号が、偶数のSFNを含む前記第1の符号化情報ブロックおよび奇数のSFNを含む前記第2の符号化情報ブロックに基づき、前記複数のビット変化パターンの前記サブセットが、最下位ビットにおける単一のビット変化を示す前記複数のビット変化パターンのうちの1つに対応する、請求項9に記載の方法。
【請求項１３】
前記ワイヤレス通信デバイスによって、第3の符号化情報ブロックを受信するステップと、
前記ワイヤレス通信デバイスによって、偶数のSFNを含む前記第2の符号化情報ブロックおよび奇数のSFNを含む前記第3の符号化情報ブロックに基づいて、前記第2の符号化情報ブロックおよび前記第3の符号化情報ブロックをジョイント復号するステップと
をさらに備える、請求項9に記載の方法。
【請求項１４】
前記第1の符号化情報ブロックを受信するステップが、第1の時間期間の間に物理ブロードキャストチャネルから前記第1の符号化情報ブロックを受信するステップを含み、前記第2の符号化情報ブロックを受信するステップが、前記第1の時間期間の後の第2の時間期間の間に前記物理ブロードキャストチャネルから前記第2の符号化情報ブロックを受信するステップを含み、前記第1の符号化情報ブロックが、第1の情報ブロックを符号化することによって生成され、前記第2の符号化情報ブロックが、第2の情報ブロックを符号化することによって生成される、請求項9に記載の方法。
【請求項１５】
前記第1の符号化情報ブロックを受信するステップが、前記第1の符号化情報ブロックを搬送する第1の信号を受信するステップを含み、前記第2の符号化情報ブロックを受信するステップが、前記第2の符号化情報ブロックを搬送する第2の信号を受信するステップを含み、前記方法が、
前記ワイヤレス通信デバイスによって、前記第1の信号から、前記第1の符号化情報ブロックについての第1の推定値を決定するステップと、
前記ワイヤレス通信デバイスによって、前記第2の信号から、前記第2の符号化情報ブロックについての第2の推定値を決定するステップと
をさらに備える、請求項9に記載の方法。
【請求項１６】
前記第1の推定値および前記第2の推定値を前記決定するステップが、
第1の複数の対数尤度比(LLR)を出すために前記第1の信号を復調するステップと、
第2の複数のLLRを出すために前記第2の信号を復調するステップと、
前記第1の複数のLLRおよび前記第2の複数のLLRをジョイント復号して、前記複数のビット変化パターンの前記サブセットの中の各ビット変化パターンに基づいて前記第1の推定値および前記第2の推定値を生成するステップと
を含む、請求項15に記載の方法。
【請求項１７】
前記第1の複数のLLRおよび前記第2の複数のLLRを前記ジョイント復号するステップが、
前記第1の符号化情報ブロックおよび前記第2の符号化情報ブロックに関連付けられた線形ブロックコードに基づいて、前記複数のビット変化パターンの前記サブセットの中の第1のビット変化パターンを符号化するステップと、
前記符号化された第1のビット変化パターンに基づいて前記第1の複数のLLRを修正するステップと、
前記第1の複数のLLRを前記第2の複数のLLRと合成するステップと
を含む、請求項16に記載の方法。
【請求項１８】
ワイヤレス通信の方法であって、
第1のワイヤレス通信デバイスによって、1つまたは複数の既知のビットに基づいて第1の情報ブロックを生成するステップと、
前記第1のワイヤレス通信デバイスによって、前記第1の情報ブロックを符号化して、第1の符号化情報ブロックを形成するステップと、
前記第1のワイヤレス通信デバイスによって、前記第1の符号化情報ブロックを第2のワイヤレス通信デバイスに送信するステップと、
前記第1のワイヤレス通信デバイスによって、前記第2のワイヤレス通信デバイスにおける前記第1の符号化情報ブロックの復号を可能にするために、前記1つまたは複数の既知のビットを前記第2のワイヤレス通信デバイスに送信するステップと
を備える方法。
【請求項１９】
前記1つまたは複数の既知のビットを送信するステップが、
前記第1のワイヤレス通信デバイスによって、第2の符号化情報ブロックを前記第2のワイヤレス通信デバイスに送信するステップ
を含む、請求項18に記載の方法。
【請求項２０】
前記第1の符号化情報ブロックを送信するステップが、第1の時間期間の間に物理ブロードキャストチャネルを通じて前記第1の符号化情報ブロックを送信するステップを含み、前記第2の符号化情報ブロックを送信するステップが、前記第1の時間期間の前の第2の時間期間の間に前記物理ブロードキャストチャネルを通じて前記第2の符号化情報ブロックを送信するステップを含む、請求項19に記載の方法。
【請求項２１】
前記第1の符号化情報ブロックを送信するステップが、前記第1の符号化情報ブロックを搬送する第1の信号を送信するステップを含み、前記第2の符号化情報ブロックを送信するステップが、前記第2の符号化情報ブロックを搬送する第2の信号を送信するステップを含む、請求項20に記載の方法。
【請求項２２】
前記第1のワイヤレス通信デバイスによって、前記1つまたは複数の既知のビットを含むハンドオーバメッセージを前記第2のワイヤレス通信デバイスに送信するステップをさらに備え、
前記第1のワイヤレス通信デバイスが、第1のセルに関連付けられ、
前記ハンドオーバメッセージが、前記第1のセルから第2のセルへのハンドオーバに関連付けられ、
前記1つまたは複数の既知のビットが、前記第2のセルの情報ブロックに関連付けられる、
請求項18に記載の方法。
【請求項２３】
ワイヤレス通信の方法であって、
ユーザ機器(UE)によって、第1のセルの第1の基地局から、第2のセルについての構成情報を含むハンドオーバメッセージを受信するステップであって、前記ハンドオーバメッセージが、前記第1のセルと前記第2のセルとの間のハンドオーバに対応する、ステップと、
前記UEによって、前記第2のセルの第2の基地局から、前記受信された構成情報に基づいて1つまたは複数のサブフレームにおいて1つまたは複数の基準信号を受信するステップと、
前記UEによって、前記1つまたは複数の受信された基準信号および前記受信された構成情報に基づいてチャネル推定を実行するステップと
を備える方法。
【請求項２４】
前記構成情報が、前記ハンドオーバ中の前記第1のセルの構成と前記第2のセルの構成との間の相関を示す、請求項23に記載の方法。
【請求項２５】
前記相関が、前記第1のセルの情報ブロックおよび前記第2のセルの情報ブロックの1つまたは複数のビットが同じであることを示し、前記1つまたは複数の既知のビットが、前記第2のセルの符号化情報ブロックを復号するために使用される、請求項24に記載の方法。
【請求項２６】
前記構成情報が、非マルチキャストブロードキャスト単一周波数ネットワーク(非MBSFN)サブフレーム構成または狭帯域のモノのインターネット(NB-IOT)サブフレーム構成のうちの少なくとも1つに関連付けられる、請求項23に記載の方法。
【請求項２７】
装置であって、
1つまたは複数の既知のビットを受信し、
第1の符号化情報ブロックを受信する
ように構成されたトランシーバと、
前記トランシーバと通信しているプロセッサであって、
前記第1の符号化情報ブロックを復号して、前記1つまたは複数の既知のビットに基づいて第1の情報ブロックを生成する
ように構成されたプロセッサと
を備える装置。
【請求項２８】
前記トランシーバが、第2の符号化情報ブロックを受信することによって、前記1つまたは複数の既知のビットを受信するようにさらに構成され、前記プロセッサが、
前記第2の符号化情報ブロックを復号して、第2の情報ブロックを生成し、
前記第2の情報ブロックから前記1つまたは複数の既知のビットを抽出する
ようにさらに構成される、請求項27に記載の装置。
【請求項２９】
前記トランシーバが、
第1の時間期間の間に物理ブロードキャストチャネルから前記第1の符号化情報ブロックを受信することによって、前記第1の符号化情報ブロックを受信し、
前記物理ブロードキャストチャネルから前記第2の符号化情報ブロックを受信する
ことによって、前記第2の符号化情報ブロックを受信するようにさらに構成される、請求項28に記載の装置。
【請求項３０】
前記トランシーバが、
第1のセルの第1の基地局から、前記1つまたは複数の既知のビットを受信する
ことによって、前記1つまたは複数の既知のビットを受信するようにさらに構成され、前記1つまたは複数の既知のビットが、第2のセルに関連付けられる、
請求項27に記載の装置。
【請求項３１】
前記トランシーバが、
前記第2のセルの第2の基地局から、第2の符号化情報ブロックを受信する
ようにさらに構成され、
前記プロセッサが、前記第2のセルに関連付けられた前記1つまたは複数の既知のビットに基づいて前記第2の符号化情報ブロックを復号するようにさらに構成される、
請求項30に記載の装置。
【請求項３２】
前記トランシーバが、
ハンドオーバメッセージを受信する
ことによって、前記1つまたは複数の既知のビットを受信するようにさらに構成され、前記ハンドオーバメッセージが、前記第1のセルと前記第2のセルとの間のハンドオーバに対応する、
請求項30に記載の装置。
【請求項３３】
前記トランシーバが、
システムフレーム番号(SFN)またはハイパーSFNのうちの少なくとも1つに関する1つまたは複数のビットを受信する
ことによって、前記1つまたは複数の既知のビットを受信するようにさらに構成される、請求項27に記載の装置。
【請求項３４】
前記第1の符号化情報ブロックが、物理ブロードキャストチャネル(PBCH)、システム情報ブロック(SIB)、物理ダウンリンク制御チャネル(PDCCH)、物理ダウンリンク共有チャネル(PDSCH)、物理アップリンク制御チャネル(PUCCH)、または物理アップリンク共有チャネル(PUSCH)のうちの少なくとも1つに関連付けられる、請求項27に記載の装置。
【請求項３５】
装置であって、
第1のビットパターンを含む第1の符号化情報ブロックを受信し、
第2のビットパターンを含む第2の符号化情報ブロックを受信する
ように構成されたトランシーバと、
前記第1のビットパターンと前記第2のビットパターンとの間の差分が複数のビット変化パターンのサブセット内であるという仮定に基づいて、前記第1の符号化情報ブロックおよび前記第2の符号化情報ブロックをジョイント復号するように構成されたプロセッサと
を備える装置。
【請求項３６】
前記プロセッサが、
前記装置の能力に基づいて、前記複数のビット変化パターンから前記複数のビット変化パターンの前記サブセットを選択する
ようにさらに構成される、請求項35に記載の装置。
【請求項３７】
前記プロセッサが、
前記複数のビット変化パターンの各々に関連付けられた発生確率に基づいて、前記複数のビット変化パターンから前記複数のビット変化パターンの前記サブセットを選択する
ようにさらに構成される、請求項35に記載の装置。
【請求項３８】
前記複数のビット変化パターンが、システムフレーム番号(SFN)に関連付けられ、前記ジョイント復号が、偶数のSFNを含む前記第1の符号化情報ブロックおよび奇数のSFNを含む前記第2の符号化情報ブロックに基づき、前記複数のビット変化パターンの前記サブセットが、最下位ビットにおける単一のビット変化を示す前記複数のビット変化パターンのうちの1つに対応する、請求項35に記載の装置。
【請求項３９】
前記トランシーバが、第3の符号化情報ブロックを受信するようにさらに構成され、前記プロセッサが、偶数のSFNを含む前記第2の符号化情報ブロックおよび奇数のSFNを含む前記第3の符号化情報ブロックに基づいて、前記第2の符号化情報ブロックおよび前記第3の符号化情報ブロックをジョイント復号するようにさらに構成される、請求項38に記載の装置。
【請求項４０】
前記トランシーバが、第1の時間期間の間に物理ブロードキャストチャネルから前記第1の符号化情報ブロックを受信することによって、前記第1の符号化情報ブロックを受信するようにさらに構成され、前記トランシーバが、前記第1の時間期間の後の第2の時間期間の間に前記物理ブロードキャストチャネルから前記第2の符号化情報ブロックを受信することによって、前記第2の符号化情報ブロックを受信するようにさらに構成され、前記第1の符号化情報ブロックが、第1の情報ブロックを符号化することによって生成され、前記第2の符号化情報ブロックが、第2の情報ブロックを符号化することによって生成される、請求項35に記載の装置。
【請求項４１】
前記トランシーバが、
前記第1の符号化情報ブロックを搬送する第1の信号を受信することによって、前記第1の符号化情報ブロックを受信し、
前記第2の符号化情報ブロックを搬送する第2の信号を受信することによって、前記第2の符号化情報ブロックを受信する
ようにさらに構成され、
前記プロセッサが、
前記第1の信号から、前記第1の符号化情報ブロックについての第1の推定値を決定し、
前記第2の信号から、前記第2の符号化情報ブロックについての第2の推定値を決定する
ようにさらに構成される、請求項35に記載の装置。
【請求項４２】
前記プロセッサが、
第1の複数の対数尤度比(LLR)を出すために前記第1の信号を復調し、
第2の複数のLLRを出すために前記第2の信号を復調し、
前記第1の複数のLLRおよび前記第2の複数のLLRをジョイント復号して、前記複数のビット変化パターンの前記サブセットの中の各ビット変化パターンに基づいて前記第1の推定値および前記第2の推定値を生成する
ことによって、前記第1の推定値および前記第2の推定値を決定するようにさらに構成される、請求項41に記載の装置。
【請求項４３】
前記プロセッサが、
前記第1の符号化情報ブロックおよび前記第2の符号化情報ブロックに関連付けられた線形ブロックコードに基づいて、前記複数のビット変化パターンの前記サブセットの中の第1のビット変化パターンを符号化し、
前記符号化された第1のビット変化パターンに基づいて前記第1の複数のLLRを修正し、
前記第1の複数のLLRを前記第2の複数のLLRと合成する
ことによって、前記第1の複数のLLRおよび前記第2の複数のLLRをジョイント復号するようにさらに構成される、請求項42に記載の装置。
【請求項４４】
装置であって、
1つまたは複数の既知のビットに基づいて第1の情報ブロックを生成し、
前記第1の情報ブロックを符号化して、第1の符号化情報ブロックを形成する
ように構成されたプロセッサと、
前記第1の符号化情報ブロックを第2のワイヤレス通信デバイスに送信し、
前記第2のワイヤレス通信デバイスにおける前記第1の符号化情報ブロックの復号を可能にするために、前記1つまたは複数の既知のビットを前記第2のワイヤレス通信デバイスに送信する
ように構成されたトランシーバと
を備える装置。
【請求項４５】
前記トランシーバが、
第2の符号化情報ブロックを前記第2のワイヤレス通信デバイスに送信する
ことによって、前記1つまたは複数の既知のビットを送信するようにさらに構成される、請求項44に記載の装置。
【請求項４６】
前記トランシーバが、
第1の時間期間の間に物理ブロードキャストチャネルを通じて前記第1の符号化情報ブロックを送信することによって、前記第1の符号化情報ブロックを送信し、
前記第1の時間期間の前の第2の時間期間の間に前記物理ブロードキャストチャネルを通じて前記第2の符号化情報ブロックを送信することによって、前記第2の符号化情報ブロックを送信する
ようにさらに構成される、請求項45に記載の装置。
【請求項４７】
前記トランシーバが、
前記第1の符号化情報ブロックを搬送する第1の信号を送信することによって、前記第1の符号化情報ブロックを送信し、
前記第2の符号化情報ブロックを搬送する第2の信号を送信することによって、前記第2の符号化情報ブロックを送信する
ようにさらに構成される、請求項46に記載の装置。
【請求項４８】
前記トランシーバが、
前記1つまたは複数の既知のビットを含むハンドオーバメッセージを前記第2のワイヤレス通信デバイスに送信するようにさらに構成され、
前記装置が、第1のセルに関連付けられ、
前記ハンドオーバメッセージが、前記第1のセルから第2のセルへのハンドオーバに関連付けられ、
前記1つまたは複数の既知のビットが、前記第2のセルの情報ブロックに関連付けられる、
請求項44に記載の装置。
【請求項４９】
装置であって、
第1のセルの第1の基地局から、第2のセルについての構成情報を含むハンドオーバメッセージを受信することであって、前記ハンドオーバメッセージが、前記第1のセルと前記第2のセルとの間のハンドオーバに対応する、受信することと、
前記第2のセルの第2の基地局から、前記受信された構成情報に基づいて1つまたは複数のサブフレームにおいて1つまたは複数の基準信号を受信することと
を行うように構成されたトランシーバと、
前記1つまたは複数の受信された基準信号および前記受信された構成情報に基づいてチャネル推定を実行するように構成されたプロセッサと
を備える装置。
【請求項５０】
前記構成情報が、前記ハンドオーバ中の前記第1のセルの構成と前記第2のセルの構成との間の相関を示す、請求項49に記載の装置。
【請求項５１】
前記相関が、前記第1のセルの情報ブロックおよび前記第2のセルの情報ブロックの1つまたは複数のビットが同じであることを示し、前記1つまたは複数の既知のビットが、前記第2のセルの符号化情報ブロックを復号するために使用される、請求項50に記載の装置。
【請求項５２】
前記構成情報が、非マルチキャストブロードキャスト単一周波数ネットワーク(非MBSFN)サブフレーム構成または狭帯域のモノのインターネット(NB-IOT)サブフレーム構成のうちの少なくとも1つに関連付けられる、請求項49に記載の装置。
【発明の詳細な説明】
【技術分野】
【０００１】
関連出願の相互参照
本出願は、以下に完全に記載されるかのように、すべての適用可能な目的のために、それらの全体が参照により本明細書に組み込まれる、2018年5月10日に出願された米国非仮特許出願15/976,712号、および2017年5月13日に出願されたインド特許出願第201741016858号の優先権および利益を主張する。
【０００２】
本開示で説明する技術は、一般にワイヤレス通信システムに関し、より詳細には、無線アクセスネットワーク(RAN)のワイヤレス通信デバイスが低レイテンシ通信および低減された電力消費量を有することを可能にするシステムおよび方法に関する。いくつかの実施形態は、(たとえば、ユーザ機器デバイス(UE)における)効率的な物理ブロードキャストチャネル復号ならびに(たとえば、基地局(BS)による)通信および/またはシグナリングのための解決策および技法を可能にし、それらを提供して、効率的な復号を容易にすることができる。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システム)を含む。ワイヤレス多元接続通信システムは、場合によってはユーザ機器(UE)として知られていることがある複数の通信デバイスのための通信を各々が同時にサポートする、いくつかの基地局(BS)を含み得る。
【０００４】
接続性の拡大に対する高まる需要を満たすために、ワイヤレス通信技術または無線アクセス技術は、LTE技術から次世代ニューラジオ(NR)技術に進化している。接続性を拡大するための1つの技法は、より低い周波数が過密になっているので、周波数動作範囲をより高い周波数に拡張することであり得る。たとえば、LTEは、(たとえば、1ギガヘルツ(GHz)を下回る)低周波数範囲から(たとえば、約1GHzから約3GHzの間の)中周波数範囲の間で動作することができ、次世代NRは、(たとえば、約3GHzから約30GHzの間の)高周波数範囲で動作することができる。
【０００５】
次世代NRでは、ペイロードサイズは大きくなることがあり、復号複雑性をもたらすことがあり、復号複雑性は、レイテンシ問題を引き起こす可能性があり、UEからより多くの電力を奪うことがある。また、低い信号対雑音比の環境における2つのセル間のハンドオーバ中のチャネル推定は、レイテンシ問題を引き起こすことがある。
【発明の概要】
【課題を解決するための手段】
【０００６】
以下では、説明する技術の基本的理解を与えるために本開示のいくつかの態様を要約する。この概要は、本開示のすべての企図された特徴の広範な概観ではなく、本開示のすべての態様の主要または重要な要素を識別するものでもなく、本開示のいずれかまたはすべての態様の範囲を定めるものでもない。その唯一の目的は、後で提示するより詳細な説明の前置きとして、本開示の1つまたは複数の態様のいくつかの概念を概要の形で提示することである。
【０００７】
ワイヤレス通信システムに接続されたワイヤレス通信デバイスは、ワイヤレス通信システムと継続的に通信して、ワイヤレス通信システムと同期することができる。同期プロセスの一部として、ワイヤレス通信デバイスは、物理ブロードキャストチャネルからマスタ情報ブロックを継続的に受信し得る。マスタ情報ブロックは符号化されることがあり、したがって、ワイヤレス通信デバイスは、マスタ情報ブロックのコンテンツを復号することを必要とされることがあり、次いで、物理ブロードキャストチャネルと同期するために、復号マスタ情報ブロックの中の情報を使用することがある。物理ブロードキャストチャネルによって送信された信号を復号すること、すなわち、マスタ情報ブロックを復号することは、レイテンシを引き起こすことがあり、大量の電力を消費することがある。
【０００８】
本開示の実施形態は、効率的な物理ブロードキャストチャネルまたはマスタ情報ブロックの復号のための機構を提供する。たとえば、UEは、マスタ情報ブロックの中の既知のビットに基づいて復号を実行し得る。代替的に、UEは、潜在的なビットパターン変化に基づいて複数のマスタ情報ブロックにわたってジョイント復号を実行し得、復号を低減するために仮説を使用し得る。加えて、開示する実施形態は、低い信号対雑音比の環境における2つのセル間のハンドオーバ中のチャネル推定を容易にするための機構を提供する。
【０００９】
たとえば、本開示の一態様では、ワイヤレス通信の方法は、ワイヤレス通信デバイスによって、1つまたは複数の既知のビットを受信するステップを含むことができる。方法はまた、ワイヤレス通信デバイスによって、第1の符号化情報ブロックを受信するステップと、ワイヤレス通信デバイスによって、第1の符号化情報ブロックを復号するステップとを含むことができる。復号は、1つまたは複数の既知のビットに基づいて第1の情報ブロックを生成することができる。
【００１０】
本開示の追加の態様では、ワイヤレス通信の方法は、ワイヤレス通信デバイスによって、第1のビットパターンを含む第1の符号化情報ブロックを受信するステップを含むことができる。方法はまた、ワイヤレス通信デバイスによって、第2のビットパターンを含む第2の符号化情報ブロックを受信するステップと、ワイヤレス通信デバイスによって、第1の符号化情報ブロックおよび第2の符号化情報ブロックをジョイント復号するステップとを含むことができる。ジョイント復号は、第1のビットパターンと第2のビットパターンとの間の差分が複数のビット変化パターンのサブセット内であるという仮定に基づき得る。
【００１１】
本開示の追加の態様では、ワイヤレス通信の方法は、第1のワイヤレス通信デバイスによって、1つまたは複数の既知のビットに基づいて第1の情報ブロックを生成するステップを含むことができる。方法はまた、第1のワイヤレス通信デバイスによって、第1の情報ブロックを符号化して、第1の符号化情報ブロックを形成するステップと、第1のワイヤレス通信デバイスによって、第1の符号化情報ブロックを第2のワイヤレス通信デバイスに送信するステップとを含むことができる。方法はまた、第1のワイヤレス通信デバイスによって、第2のワイヤレス通信デバイスにおける第1の符号化情報ブロックの復号を可能にするために、1つまたは複数の既知のビットを第2のワイヤレス通信デバイスに送信するステップを含むことができる。
【００１２】
本開示の追加の態様では、ワイヤレス通信の方法は、ユーザ機器(UE)によって、第1のセルの第1の基地局から、第2のセルについての構成情報を含むハンドオーバメッセージを受信するステップを含むことができる。ハンドオーバメッセージは、第1のセルと第2のセルとの間のハンドオーバに対応することができる。方法はまた、UEによって、第2のセルの第2の基地局から、受信された構成情報に基づいて1つまたは複数のサブフレームにおいて1つまたは複数の基準信号を受信するステップを含むことができる。方法はまた、UEによって、1つまたは複数の受信された基準信号および受信された構成情報に基づいてチャネル推定を実行するステップを含むことができる。
【００１３】
本開示の追加の態様では、装置は、1つまたは複数の既知のビットおよび第1の符号化情報ブロックを受信するように構成されたトランシーバを含むことができる。装置はまた、受信機と通信しており、第1の符号化情報ブロックを復号するように構成されたプロセッサを含むことができる。復号は、1つまたは複数の既知のビットに基づいて第1の情報ブロックを生成することができる。
【００１４】
本開示の追加の態様では、装置は、第1のビットパターンを含む第1の符号化情報ブロックおよび第2のビットパターンを含む第2の符号化情報ブロックを受信するように構成されたトランシーバを含むことができる。装置はまた、第1の符号化情報ブロックおよび第2の符号化情報ブロックをジョイント復号するように構成されたプロセッサを含むことができる。ジョイント復号は、第1のビットパターンと第2のビットパターンとの間の差分が複数のビット変化パターンのサブセット内であるという仮定に基づき得る。
【００１５】
本開示の追加の態様では、装置は、1つまたは複数の既知のビットに基づいて第1の情報ブロックを生成するように構成されたプロセッサを含むことができる。プロセッサはまた、第1の情報ブロックを符号化して、第1の符号化情報ブロックを形成するように構成され得る。装置はまた、第1の符号化情報ブロックを第2のワイヤレス通信デバイスに送信するように構成されたトランシーバを含むことができる。トランシーバはまた、第2のワイヤレス通信デバイスにおける第1の符号化情報ブロックの復号を可能にするために、1つまたは複数の既知のビットを第2のワイヤレス通信デバイスに送信するように構成され得る。
【００１６】
本開示の追加の態様では、装置は、第1のセルの第1の基地局から、第2のセルについての構成情報を含むハンドオーバメッセージを受信するように構成されたトランシーバを含むことができる。ハンドオーバメッセージは、第1のセルと第2のセルとの間のハンドオーバに対応することができる。トランシーバはまた、第2のセルの第2の基地局から、受信された構成情報に基づいて1つまたは複数のサブフレームにおいて1つまたは複数の基準信号を受信するように構成され得る。装置はまた、1つまたは複数の受信された基準信号および受信された構成情報に基づいてチャネル推定を実行するように構成されたプロセッサを含むことができる。
【００１７】
本発明の追加の態様、特徴、および実施形態は、添付の図とともに本発明の特定の例示的な実施形態の以下の説明を検討すれば、当業者に明らかとなろう。本発明の特徴について、以下のいくつかの実施形態および図に関して説明する場合があるが、本発明のすべての実施形態は、本明細書で説明する有利な特徴のうちの1つまたは複数を含むことができる。言い換えれば、1つまたは複数の実施形態について、いくつかの有利な特徴を有するものとして説明する場合があるが、そのような特徴のうちの1つまたは複数はまた、本明細書で説明する本発明の様々な実施形態に従って使用され得る。同様に、例示的な実施形態について、デバイス実施形態、システム実施形態、または方法実施形態として以下で説明する場合があるが、そのような例示的な実施形態は、様々なデバイス、システム、および方法において実装され得ることを理解されたい。
【図面の簡単な説明】
【００１８】
【図１】本開示のいくつかの実施形態による、ワイヤレス通信ネットワークを示す図である。
【図２】本開示のいくつかの実施形態による、例示的なユーザ機器(UE)のブロック図である。
【図３】本開示のいくつかの実施形態による、例示的な基地局(BS)のブロック図である。
【図４】本開示のいくつかの実施形態による、例示的なUEによって監視を実行するための方法のシグナリング図である。
【図５】本開示のいくつかの実施形態による、例示的なUEによって監視を実行するための方法のシグナリング図である。
【図６】本開示のいくつかの実施形態による、2つのセル間のUEのためのハンドオーバを実行するための方法のシグナリング図である。
【図７】本開示のいくつかの実施形態による、例示的なマスタ情報ブロックのビット構造のブロック図である。
【図８】本開示のいくつかの実施形態による、例示的なマスタ情報ブロックのビット構造のブロック図である。
【図９】本開示のいくつかの実施形態による、マスタ情報ブロックを復号するための例示的なシステムのブロック図である。
【図１０】本開示のいくつかの実施形態による、マスタ情報ブロックをジョイント復号するための例示的なシステムのブロック図である。
【図１１】本開示のいくつかの実施形態による、例示的なUEによってマスタ情報ブロックを受信する方法の流れ図である。
【図１２】本開示のいくつかの実施形態による、例示的なUEによってマスタ情報ブロックを受信する方法の流れ図である。
【図１３】本開示のいくつかの実施形態による、例示的なBSによってマスタ情報ブロックを生成する方法の流れ図である。
【図１４】本開示の実施形態による、例示的なUEによってハンドオーバ中にチャネル推定を実行する方法の流れ図である。
【発明を実施するための形態】
【００１９】
添付の図面に関して以下に記載する詳細な説明は、様々な構成について説明するものであり、本明細書で説明する概念が実践され得る唯一の構成を表すものではない。詳細な説明は、様々な概念の完全な理解を与えるための具体的な詳細を含む。しかしながら、これらの概念がこれらの具体的な詳細なしに実践され得ることは当業者には明らかであろう。いくつかの事例では、そのような概念を不明瞭にすることを避けるために、よく知られている構造および構成要素はブロック図の形態で示される。
【００２０】
本明細書で説明する技法は、符号分割多元接続(CDMA)、時分割多元接続(TDMA)、周波数分割多元接続(FDMA)、直交周波数分割多元接続(OFDMA)、シングルキャリアFDMA(SC-FDMA)および他のネットワークなどの様々なワイヤレス通信ネットワークに使用され得る。「ネットワーク」および「システム」という用語は、しばしば互換的に使用される。CDMAネットワークは、ユニバーサル地上波無線アクセス(UTRA)、cdma2000などの無線技術を実装し得る。UTRAは、広帯域CDMA(WCDMA(登録商標))およびCDMAの他の変形態を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、発展型UTRA(E-UTRA)、ウルトラモバイルブロードバンド(UMB)、IEEE802.11(Wi-Fi)、IEEE802.16(WiMAX)、IEEE802.20、Flash-OFDMAなどの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-AおよびGSM(登録商標)は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のワイヤレスネットワークおよび無線技術、ならびに、次世代(たとえば、mmWave帯域で動作する第5世代(5G))ネットワークなどの他のワイヤレスネットワークおよび無線技術に使用され得る。
【００２１】
態様および実施形態について、いくつかの例を例示することによって本出願において説明するが、当業者は、追加の実装形態および使用事例が多くの異なる構成およびシナリオにおいて生じ得ることを理解されよう。本明細書で説明する革新は、多くの異なるプラットフォームタイプ、デバイス、システム、形状、サイズ、パッケージング構成にわたって実装され得る。たとえば、実施形態および/または用途は、集積チップ実施形態および他の非モジュール構成要素ベースデバイス(たとえば、エンドユーザデバイス、車両、通信デバイス、コンピューティングデバイス、産業機器、小売/購買デバイス、医療デバイス、AI対応デバイスなど)を介して生じ得る。いくつかの例は、使用事例または適用例を明確に対象とすることもあり、対象としないこともあるが、説明する革新の適用可能性の広範な取り合わせが発生し得る。実装形態は、チップレベルまたはモジュール式の構成要素から、非モジュール式で非チップレベルの実装形態まで、さらには、説明する革新の1つまたは複数の態様を組み込む統合型、分散型、またはOEMデバイスもしくはシステムまでの範囲に及ぶことがある。いくつかの実際的な設定では、説明する態様および特徴を組み込むデバイスは、特許請求し説明する実施形態の実装および実践のための追加の構成要素および特徴も必然的に含み得る。本明細書で説明する革新は、多種多様なデバイス、チップレベルの構成要素、システム、分散型構成、エンドユーザデバイスなどにおいて実践され得ることを目的とする。
【００２２】
本開示は、効率的な物理ブロードキャストチャネルまたはマスタ情報ブロックの復号のための機構について説明する。いくつかの例では、基地局は、他のデバイス(たとえば、ユーザ機器またはUE)が基地局と同期することを可能にするために、物理ブロードキャストチャネルにおいてマスタ情報ブロックを周期的に送信し得る。いくつかの例では、マスタ情報ブロックのフィールドは、フィールドの2つのグループに分割され得る。ある期間から次の期間に変化し得るフィールドの第1のグループ、および、ある期間から次の期間に変化し得ず、いくつかの期間にわたって変化し得ないフィールドの第2のグループ。いくつかの例では、各フィールドは、データの1つまたは複数のビットを含み得る。いくつかの例では、フィールドの第1のグループは、各送信においてまたは送信ごとに変化する(たとえば、増分するまたは減分する)システムフレーム番号(SFN)を含み得る。加えて、基地局はマスタ情報ブロックを符号化することがあり、したがって、UEはマスタ情報ブロックの受信時に復号を実行することが必要とされる。
【００２３】
本明細書で説明する復号は、様々な方法で達成され、実装され得る。一実施形態では、UEは、たとえば、BSによってシグナリングされたマスタ情報ブロックの中の既知の情報ビット(たとえば、SFNの変化または増分)に基づいて、復号を実行し得る。一実施形態では、UEは、連続するマスタ情報ブロックにわたる予想されるビット変化に基づいて、複数のマスタ情報ブロックにわたってジョイント復号を実行し得る。たとえば、奇数のSFNを含むマスタ情報ブロックの後に、偶数のSFNを含むマスタ情報ブロックが続く(これは、既知の状態または予想される状態の間の変化の一例である)。同様に、偶数のSFNを含むマスタ情報ブロックの後に、奇数のSFNを含むマスタ情報ブロックが続く。ビット変化の数は、SFNのビット長と、移行が奇数のSFNから偶数のSFNにであるか、または偶数のSFNから奇数のSFNにであるかとに応じて変動し得る。UEは、復号複雑性の量を低減することができる仮説を選択することによって、ジョイント復号を実行し得る。一実施形態では、サービングBSは、ハンドオーバを容易にし、ハンドオーバレイテンシを低減することができる情報をUEに提供し得る。情報は、ハンドオーバのためのターゲットセルにおける基準信号送信および/またはSFNに関連付けられ得る。
【００２４】
図1は、本開示のいくつかの実施形態による、ワイヤレス通信ネットワーク100を示す。ネットワーク100は、BS105と、UE115と、コアネットワーク130とを含む。ネットワーク100は、セルラーネットワークまたは非セルラーワイヤレスネットワークであってもよい。たとえば、ネットワーク100は、LTEネットワーク、LTE-Aネットワーク、ミリ波(mmW)ネットワーク、ニューラジオ(NR)ネットワーク、5Gネットワーク、P2Pネットワーク、メッシュネットワーク、デバイスが互いと通信するD2D、またはLTEの任意の他の後継ネットワークであってもよい。代替的に、ネットワーク100は、LTEとNRの両方などの複数の無線アクセス技術(RAT)をサポートする統合ネットワークであってもよい。BS105は、UE115と通信する局であってもよく、基地トランシーバ局、ノードB、発展型ノードB(eNodeB)または次世代ノードB(gNB)、アクセスポイントなどと呼ばれることもある。
【００２５】
BS105は、1つまたは複数のBSアンテナを介してUE115とワイヤレス通信し得る。各BS105は、それぞれの地理的カバレージエリア110に通信カバレージを提供し得る。3GPPでは、「セル」という用語は、この用語が使用される文脈に応じて、BSのこの特定の地理的カバレージエリアおよび/またはカバレージエリアにサービスするBSサブシステムを指すことがある。この点について、BS105は、マクロセル、ピコセル、フェムトセル、および/または他のタイプのセルに通信カバレージを提供し得る。マクロセルは、一般に、比較的大きい地理的エリア(たとえば、半径数キロメートル)をカバーし、ネットワークプロバイダのサービスに加入しているUEによる無制限アクセスを可能にし得る。ピコセルは、一般に、比較的小さい地理的エリアをカバーすることができ、ネットワークプロバイダのサービスに加入しているUEによる無制限アクセスを可能にし得る。フェムトセルも、一般に、比較的小さい地理的エリア(たとえば、自宅)をカバーすることができ、無制限アクセスに加えて、フェムトセルとの関連付けを有するUE(たとえば、限定加入者グループ(CSG)内のUE、自宅内のユーザのためのUEなど)による制限付きアクセスも提供し得る。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS105a、105bおよび105cは、それぞれ、カバレージエリア110a、110bおよび110cのためのマクロBSの例である。BS105dは、カバレージエリア110dのためのピコBSまたはフェムトBSの一例である。認識されるように、BS105は、1つまたは複数(たとえば、2つ、3つ、4つなど)のセルをサポートし得る。
【００２６】
ネットワーク100に示される通信リンク125は、UE115からBS105へのアップリンク(UL)送信、またはBS105からUE115へのダウンリンク(DL)送信を含み得る。UE115は、ネットワーク100全体にわたって分散されることがあり、各UE115は、固定またはモバイルであり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、アプライアンス、自動車、エンターテインメントデバイス、医療デバイス、ウェアラブルデバイス、産業機器などであり得る。
【００２７】
BS105は、コアネットワーク130と通信し、互いと通信し得る。コアネットワーク130は、ユーザ認証、アクセス許可、トラッキング、インターネットプロトコル(IP)接続性、および他のアクセス機能、ルーティング機能、またはモビリティ機能を提供し得る。(たとえば、発展型ノードB(eNB)またはアクセスノードコントローラ(ANC)の一例であり得る)BS105のうちの少なくともいくつかは、バックホールリンク132(たとえば、S1、S2など)を通じてコアネットワーク130とインターフェースすることができ、UE115との通信のための無線構成およびスケジューリングを実行することができる。様々な例では、BS105は、ワイヤード通信リンクまたはワイヤレス通信リンクであり得るバックホールリンク134(たとえば、X1、X2など)を介して、直接または間接的に(たとえば、コアネットワーク130を通じて)のいずれかで、互いと通信し得る。
【００２８】
各BS105はまた、いくつかの他のBS105を通じていくつかのUE115と通信することができ、ここで、BS105はスマート無線ヘッドの一例であり得る。代替構成では、各BS105の様々な機能は、様々なBS105(たとえば、無線ヘッドおよびアクセスネットワークコントローラ)にわたって分散されるか、または単一のBS105に統合されることがある。
【００２９】
いくつかの実装形態では、ネットワーク100は、ダウンリンク上で直交周波数分割多重(OFDM)を利用し、UL上でシングルキャリア周波数分割多重(SC-FDM)を利用する。OFDMおよびSC-FDMは、システム帯域幅を、一般にトーン、ビンなどとも呼ばれる複数(K個)の直交サブキャリアに区分する。各サブキャリアは、データで変調され得る。一般に、変調シンボルは、OFDMでは周波数領域において送られ、SC-FDMでは時間周波数領域において送られる。隣接するサブキャリア間の間隔は固定であってもよく、サブキャリアの総数(K)はシステム帯域幅に依存し得る。システム帯域幅はまた、サブバンドに区分され得る。
【００３０】
一実施形態では、BS105は、ネットワーク100におけるDL送信およびUL送信のための送信リソースを(たとえば、時間周波数リソースブロックの形で)割り当てるかまたはスケジュールすることができる。DLはBS105からUE115への送信方向を指し、ULはUE115からBS105への送信方向を指す。通信は、無線フレームの形とすることができる。無線フレームは、複数のサブフレーム、たとえば、約10個に分割され得る。各サブフレームは、スロット、たとえば、約2個に分割され得る。周波数分割複信(FDD)モードでは、同時のUL送信およびDL送信は、異なる周波数帯域において行われ得る。たとえば、各サブフレームは、UL周波数帯域におけるULサブフレームと、DL周波数帯域におけるDLサブフレームとを含む。時間分割複信(TDD)モードでは、UL送信およびDL送信は、同じ周波数帯域を使用して異なる時間期間に行われる。たとえば、無線フレーム内のサブフレームのサブセット(たとえば、DLサブフレーム)は、DL送信に使用されてもよく、無線フレーム内のサブフレームの別のサブセット(たとえば、ULサブフレーム)は、UL送信に使用されてもよい。
【００３１】
DLサブフレームおよびULサブフレームは、いくつかの領域にさらに分割され得る。たとえば、各DLサブフレームまたはULサブフレームは、基準信号、制御情報、およびデータの送信のためのあらかじめ定義された領域を有し得る。基準信号は、BS105とUE115との間の通信を容易にする所定の信号である。たとえば、基準信号は、特定のパイロットパターンまたは構造を有することができ、ここで、パイロットトーンは、動作帯域幅または周波数帯域にまたがる場合があり、各パイロットトーンは、あらかじめ定義された時間およびあらかじめ定義された周波数に配置される。たとえば、BS105は、UE115がDLチャネルを推定することを可能にするために、セル固有基準信号(CRS)および/またはチャネル状態情報基準信号(CSI-RS)を送信し得る。同様に、UE115は、BS105がULチャネルを推定することを可能にするために、サウンディング基準信号(SRS)を送信し得る。制御情報は、リソース割当ておよびプロトコル制御を含み得る。データは、プロトコルデータおよび/または動作データを含み得る。いくつかの実施形態では、BS105およびUE115は、自己完結型サブフレームを使用して通信し得る。自己完結型サブフレームは、DL通信のための部分と、UL通信のための部分とを含み得る。自己完結型サブフレームは、DL中心またはUL中心とすることができる。DL中心サブフレームは、UL通信用よりも長いDL通信用の持続時間を含み得る。UL中心サブフレームは、DL通信用よりも長いUL通信用の持続時間を含み得る。
【００３２】
一実施形態では、ネットワーク100にアクセスすることを試みるUE115は、BS105からの1次同期信号(PSS)を検出することによって初期セル探索を実行し得る。PSSは、期間タイミングの同期を可能にし得、物理レイヤ識別情報値を示し得る。次いで、UE115は、2次同期信号(SSS)を受信し得る。SSSは、無線フレーム同期を可能にし得、セルを識別するために物理レイヤ識別情報値と組み合わされ得るセル識別情報値を提供し得る。SSSはまた、複信モードおよびサイクリックプレフィックス長の検出を可能にし得る。TDDシステムなどのいくつかのシステムは、SSSを送信するが、PSSを送信しないことがある。PSSとSSSの両方は、それぞれ、キャリアの中心部分に位置し得る。PSSおよびSSSを受信した後、UE115は、物理ブロードキャストチャネル(PBCH)において送信され得るマスタ情報ブロック(MIB)を受信し得る。
【００３３】
MIBは、システム通信のために受信デバイスによって使用可能な情報を含み得る。この情報は、たとえば、システム帯域幅情報、システムフレーム番号(SFN)、および物理ハイブリッドARQインジケータチャネル(PHICH)構成を含むことができる。MIBを復号した後、UE115は、1つまたは複数のシステム情報ブロック(SIB)を受信し得る。たとえば、SIB1は、他のSIBのセルアクセスパラメータおよびスケジューリング情報を含み得る。SIB1を復号することは、UE115がSIB2を受信することを可能にし得る。SIB2は、ランダムアクセスチャネル(RACH)手順、ページング、物理アップリンク制御チャネル(PUCCH)、物理アップリンク共有チャネル(PUSCH)、電力制御、SRS、およびセル禁止に関する無線リソース構成(RRC)構成情報を含み得る。MIBおよび/またはSIBを取得した後、UE115は、BS105との接続を確立するためにランダムアクセス手順を実行することができる。接続を確立した後、UE115およびBS105は通常動作段階に入ることができ、ここで動作データが交換され得る。
【００３４】
いくつかの実施形態では、ネットワーク100は、LTEとNRの両方をサポートする統合ネットワークであり得る。そのような実施形態では、ネットワーク100は、LTEスペクトルまたはLTEコンポーネントキャリアおよびNRスペクトルまたはNRコンポーネントキャリアを介して動作し得る。LTEスペクトルは、1GHzを下回る低周波数帯域および約1GHzから約3GHzの間の中周波数帯域を含み得る。NRスペクトルは、サブ6GHz周波数帯域およびミリ波帯域を含み得る。BS105は、LTE BSおよびNR BSを含み得る。いくつかの実施形態では、LTE BSおよびNR BSはコロケートされ得る。たとえば、BS105は、LTEおよびNRの異なるソフトウェア構成要素またはスタックを実行することによってLTEとNRの両方を実装するために同じハードウェアを採用し得る。加えて、UE115は、スタンドアロンLTEデバイスおよびスタンドアロンNRデバイスを含み得る。スタンドアロンLTEデバイスは、NR接続性ではなくLTE接続性をサポートする。逆に、スタンドアロンNRデバイスは、LTE接続性ではなくNR接続性をサポートする。代替的に、いくつかのUE115は、デュアルLTE-NR接続性をサポートし得る。接続性の様々な組合せのための通信機構および周波数帯域計画について、本明細書でより詳細に説明する。
【００３５】
図2は、本開示のいくつかの実施形態による、例示的なワイヤレス通信デバイス200、たとえば、UE200のブロック図である。UE200は、上記で説明したようなUE115であり得る。図示のように、UE200は、プロセッサ202と、メモリ204と、物理チャネル処理モジュール208と、モデムサブシステム212および無線周波数(RF)ユニット214を含むトランシーバ210と、アンテナ216とを含み得る。これらの要素は、たとえば、1つまたは複数のバスを介して、互いと直接通信または間接通信していてもよい。
【００３６】
プロセッサ202は、中央処理ユニット(CPU)、デジタル信号プロセッサ(DSP)、特定用途向け集積回路(ASIC)、コントローラ、フィールドプログラマブルゲートアレイ(FPGA)デバイス、別のハードウェアデバイス、ファームウェアデバイス、または本明細書で説明する動作を実行するように構成されたそれらの任意の組合せを含み得る。プロセッサ202はまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【００３７】
メモリ204は、キャッシュメモリ(たとえば、プロセッサ202のキャッシュメモリ)、ランダムアクセスメモリ(RAM)、磁気抵抗RAM(MRAM)、読取り専用メモリ(ROM)、プログラマブル読取り専用メモリ(PROM)、消去可能プログラマブル読取り専用メモリ(EPROM)、電気的消去可能プログラマブル読取り専用メモリ(EEPROM)、フラッシュメモリ、ソリッドステートメモリデバイス、ハードディスクドライブ、他の形態の揮発性および不揮発性メモリ、または異なるタイプのメモリの組合せを含み得る。一実施形態では、メモリ204は、非一時的コンピュータ可読媒体を含む。メモリ204は、命令206を記憶し得る。命令206は、プロセッサ202によって実行されると、本開示の実施形態に関してUE115を参照しながら本明細書で説明する動作をプロセッサ202に実行させる命令を含み得る。命令206は、コードと呼ばれることもある。「命令」および「コード」という用語は、任意のタイプのコンピュータ可読ステートメントを含むように広く解釈されるべきである。たとえば、「命令」および「コード」という用語は、1つまたは複数のプログラム、ルーチン、サブルーチン、関数、プロシージャなどを指す場合がある。「命令」および「コード」は、単一のコンピュータ可読ステートメントまたは多数のコンピュータ可読ステートメントを含み得る。
【００３８】
物理チャネル処理モジュール208は、ハードウェア、ソフトウェア、またはそれらの組合せを介して実装され得る。たとえば、物理チャネル処理モジュール208は、プロセッサ、回路、および/またはメモリ204に記憶され、プロセッサ202によって実行される命令206として実装され得る。物理チャネル処理モジュール208は、本開示の様々な態様に使用され得る。たとえば、物理チャネル処理モジュール208は、ブロードキャストされた情報ブロックについてネットワークをリッスンする、たとえば、監視するように構成される。物理チャネル処理モジュール208は、ネットワーク、たとえば、NRまたはLTEネットワークからトランシーバ210によって受信された情報ブロック、システム情報ブロック、マスタ情報ブロック、物理ダウンリンク制御チャネル(PDCCH)信号、または物理ダウンリンク制御共有チャネル(PDSCH)信号を復号するようにさらに構成される。復号情報ブロックは、初期化および同期を実行するためにプロセッサ202によって使用され得る。いくつかの例では、物理チャネル処理モジュール208は、プロセッサ202によって実装され得る。
【００３９】
図示のように、トランシーバ210は、モデムサブシステム212およびRFユニット214を含み得る。トランシーバ210は、BS105などの他のデバイスと双方向に通信するように構成され得る。モデムサブシステム212は、変調およびコーディング方式(MCS)、たとえば、低密度パリティチェック(LDPC)コーディング方式、ターボコーディング方式、畳み込みコーディング方式、デジタルビームフォーミング方式などに従って、メモリ204および/または物理チャネル処理モジュール208からのデータを変調および/または符号化するように構成され得る。RFユニット214は、(アウトバウンド送信上の)モデムサブシステム212からの、またはUE115などの別のソースから発信する送信の被変調/符号化データを処理する(たとえば、アナログデジタル変換またはデジタルアナログ変換などを実行する)ように構成され得る。RFユニット214は、デジタルビームフォーミングとともにアナログビームフォーミングを実行するようにさらに構成され得る。トランシーバ210内で一緒に統合されるものとして示されているが、モデムサブシステム212およびRFユニット214は、UE115が他のデバイスと通信することを可能にするためにUE115において一緒に結合される別個のデバイスであってもよい。
【００４０】
RFユニット214は、被変調および/または処理済みデータ、たとえば、データパケット(または、より一般的には、1つまたは複数のデータパケットおよび他の情報を含み得るデータメッセージ)を、1つまたは複数の他のデバイスに送信するためにアンテナ216に提供し得る。このことは、たとえば、本開示のいくつかの実施形態による、チャネル予約信号の送信を含み得る。アンテナ216は、他のデバイスから送信されたデータメッセージをさらに受信し得る。このことは、たとえば、本開示の実施形態による、チャネル予約信号の受信を含み得る。アンテナ216は、受信されたデータメッセージを、トランシーバ210における処理および/または復調のために提供し得る。図2はアンテナ216を単一のアンテナとして示すが、アンテナ216は、複数の送信リンクを維持するために、同様のまたは異なる設計の複数のアンテナを含み得る。RFユニット214は、アンテナ216を構成し得る。
【００４１】
図3は、本開示のいくつかの実施形態による、例示的なBS300のブロック図である。BS300は、上記で説明したようなBS105であり得る。図示のように、BS300は、プロセッサ302と、メモリ304と、物理チャネル生成モジュール308と、モデムサブシステム312およびRFユニット314を含むトランシーバ310と、アンテナ316とを含み得る。これらの要素は、たとえば、1つまたは複数のバスを介して、互いと直接通信または間接通信していてもよい。
【００４２】
プロセッサ302は、特定のタイプのプロセッサとして様々な特徴を有し得る。たとえば、これらは、CPU、DSP、ASIC、コントローラ、FPGAデバイス、別のハードウェアデバイス、ファームウェアデバイス、または本明細書で説明する動作を実行するように構成されたそれらの任意の組合せを含み得る。プロセッサ302はまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【００４３】
メモリ304は、キャッシュメモリ(たとえば、プロセッサ302のキャッシュメモリ)、RAM、MRAM、ROM、PROM、EPROM、EEPROM、フラッシュメモリ、ソリッドステートメモリデバイス、1つまたは複数のハードディスクドライブ、メモリスタベースアレイ、他の形態の揮発性および不揮発性メモリ、または異なるタイプのメモリの組合せを含み得る。いくつかの実施形態では、メモリ304は、非一時的コンピュータ可読媒体を含み得る。メモリ304は、命令306を記憶し得る。命令306は、プロセッサ302によって実行されると、本明細書で説明する動作をプロセッサ302に実行させる命令を含み得る。命令306はコードと呼ばれることもあり、コードは、図2に関して上記で説明したように、任意のタイプのコンピュータ可読ステートメントを含むように広く解釈され得る。
【００４４】
物理チャネル生成モジュール308は、ハードウェア、ソフトウェア、またはそれらの組合せを介して実装され得る。たとえば、物理チャネル生成モジュール308は、プロセッサ、回路、および/またはメモリ304に記憶され、プロセッサ302によって実行される命令306として実装され得る。物理チャネル生成モジュール308は、本開示の様々な態様に使用され得る。物理チャネル生成モジュール308は、UE115によって使用され得る情報ブロックを生成するようにさらに構成される。たとえば、情報ブロックは、ネットワーク、たとえば、NRまたはLTEネットワークと同期するために、UE115によって使用され得る。物理チャネル生成モジュール308はさらに、トランシーバ310によってネットワークに送られ得る情報ブロックを符号化し得る。いくつかの例では、物理チャネル生成モジュール308は、情報ブロックを符号化するために符号化を使用し得る。情報ブロックは、システム情報ブロックおよびマスタ情報ブロックを含んでもよく、情報ブロックについて、図7および図8に関して説明する。いくつかの例では、物理チャネル生成モジュール308は、プロセッサ302によって実装され得る。
【００４５】
図示のように、トランシーバ310は、モデムサブシステム312およびRFユニット314を含み得る。トランシーバ310は、UE115および/または別のコアネットワーク要素などの他のデバイスと双方向に通信するように構成され得る。モデムサブシステム312は、MCS、たとえば、LDPCコーディング方式、ターボコーディング方式、畳み込みコーディング方式、符号化方式、デジタルビームフォーミング方式などに従って、データを変調および/または符号化するように構成され得る。RFユニット314は、(アウトバウンド送信上の)モデムサブシステム312からの、またはUE115などの別のソースから発信する送信の被変調/符号化データを処理する(たとえば、アナログデジタル変換またはデジタルアナログ変換などを実行する)ように構成され得る。RFユニット314は、デジタルビームフォーミングとともにアナログビームフォーミングを実行するようにさらに構成され得る。トランシーバ310内で一緒に統合されるものとして示されているが、モデムサブシステム312およびRFユニット314は、BS105が他のデバイスと通信することを可能にするためにBS105において一緒に結合される別個のデバイスであってもよい。
【００４６】
RFユニット314は、被変調および/または処理済みデータ、たとえば、データパケット(または、より一般的には、1つまたは複数のデータパケットおよび他の情報を含み得るデータメッセージ)を、1つまたは複数の他のデバイスに送信するためにアンテナ316に提供し得る。このことは、たとえば、本開示の実施形態による、ネットワークへのアタッチメントを完了するための情報の送信と、キャンプしたUE115との通信とを含み得る。アンテナ316はさらに、他のデバイスから送信されたデータメッセージを受信し、受信されたデータメッセージをトランシーバ310における処理および/または復調のために提供し得る。図3はアンテナ316を単一のアンテナとして示すが、アンテナ316は、複数の送信リンクを維持するために、同様のまたは異なる設計の複数のアンテナを含み得る。
【００４７】
図4は、本開示のいくつかの実施形態による、例示的なUEによって監視を実行するための方法400のシグナリング図を示す。方法400のステップは、UE115および200ならびにBS105および300など、ワイヤレス通信デバイスのコンピューティングデバイス(たとえば、プロセッサ、処理回路、および/または他の適切な構成要素)によって実行され得る。図示のように、方法400は、いくつかの列挙されるステップを含むが、方法400の実施形態は、列挙されるステップの前、後、および間に追加のステップを含み得る。いくつかの実施形態では、列挙されるステップのうちの1つまたは複数は、省略されてもよく、または異なる順序で実行されてもよい。方法400は、説明を簡単にするために、ネットワーク、たとえば、NRまたはLTEネットワーク内の1つのBSおよび1つのスタンドアロンUEを示すが、本開示の実施形態はより多くのUEおよび/またはBSに拡大し得ることが認識されよう。
【００４８】
ステップ410において、ネットワーク(たとえば、図1のネットワーク100)のBS404は、時間期間(i)に、ネットワークに関連付けられた符号化マスタ情報ブロック(MIB)(i)をブロードキャストする。マスタ情報ブロックは、たとえば、システム帯域幅情報、システムフレーム番号(SFN)、および物理ハイブリッドARQインジケータチャネル(PHICH)構成データを含み得る。マスタ情報ブロックはまた、巡回冗長検査(CRC)などの誤り検出コードを含み得る。いくつかの例では、BSはマスタ情報ブロックを符号化し得る。ネットワークのUE402は、MIB(i)を受信および復号し得、復号された情報に基づいてネットワークに同期し得る。
【００４９】
ステップ412において、MIB(i)を受信すると、UE402は受信された符号化MIB(i)を復号する。復号のおかげで、UE402は、受信されたMIBから既知のビットを抽出することができる。いくつかの例では、既知のビットは、ある時間期間から次の時間期間に変化し得ないMIBのビットである。したがって、UEは、MIB(i)から既知のビットを抽出し得、既知のビットが次の時間期間にまたはいくつかの追加のもしくは次の時間期間にわたって変化しないであろうと仮定し得る。いくつかの例では、MIBは2つのサブブロックを含み得る。(各サブブロックのコンテンツまたは状態は変化し得るが)一方のサブブロック内のコンテンツまたはその状態は、他方のサブブロックに対してより頻繁に変化し得る。いくつかの例では、既知のビットは、(より頻繁に変化するサブブロックの既知のビットとは対照的に)まれに変化するサブブロックの一部とすることができる。いくつかの例では、既知のビットは予測されることが可能であり、頻繁に変化するサブブロックの一部でさえあり得る。MIBのいくつかのビットは知られていることがあるので、これらのビットは必ずしも復号される必要がなく、それによって、いくつかの態様に従ってを復号することを容易にする。
【００５０】
復号後、UE402は、復号情報ブロックに基づいてネットワークに同期し得る。復号および抽出は、UE200の物理チャネル処理モジュール208またはプロセッサ202によって実行され得る。
【００５１】
本明細書で使用する場合、既知のビットの概念はいくつかのコンテキストを有する。一般に、既知のビットは、ビットの位置またはロケーションがアプリオリに知られていると理解されることを示し得る。いくつかの事例では、既知の(known)は、変化するパターンまたは状態もまたアプリオリに知られていることも意味する。いくつかの事例では、既知のビットを識別するのを助けるための情報は、バッファまたはメモリ(たとえば、UE内の構成要素上のUEによってアクセス可能なメモリ)に記憶され得る。
【００５２】
ステップ415において、ネットワークのUE402は、BS404からのブロードキャストをリッスンする。いくつかの実施形態では、BS404は、更新されたマスタ情報ブロックを周期的にブロードキャストする。たとえば、第1の時間期間(i)に、BS404は、第1のマスタ情報ブロックをブロードキャストし、任意の時間期間とすることができる期間の後、第2の時間期間(i+1)に、BS404は、第1のマスタ情報ブロックとは異なる第2のマスタ情報ブロックをブロードキャストする。いくつかの例では、第1の時間期間と第2の時間期間との間に、マスタ情報ブロックのSFNパラメータおよびCRCパラメータのみが変化し得る。いくつかの例では、マスタ情報ブロックの各パラメータは、1つまたは複数のビットによって表される。
【００５３】
ステップ420において、MIBを取得した後、UE402は、ネットワークのBS404との接続を確立するためにランダムアクセス手順を実行することができる。接続を確立した後、UE402およびBS404は通常動作段階に入ることができ、ここで動作データが交換され得る。いくつかの例では、通常動作は、BS404がUE402からのデータを要求することと、UE402が要求に応答することとを含む。
【００５４】
ステップ425において、BS404は、時間期間(i+N)に、ネットワークに関連付けられた符号化MIB(i+N)をブロードキャストし、UE402は、符号化MIB(i+N)を受信し得る。
【００５５】
ステップ427において、ネットワークのUE402は、受信されたMIB(i+N)を復号する。復号は、既知のビットに基づいて実行され得る。いくつかの例では、UE200の物理チャネル処理モジュール208またはプロセッサ202は、受信された符号化MIB(i+N)を復号するために、既知のビットのアプリオリの知識を使用し得る。いくつかの例では、復号器は、復号プロセスを容易にするために、また、より速い復号によってレイテンシを低減し、エネルギーを節約するために、復号プロセスの一部として既知のビットを使用し得る。
【００５６】
ステップ430において、ネットワークのUE402は、BS404からのブロードキャストをリッスンする。いくつかの例では、BS404は、同じマスタ情報ブロックのブロードキャストを繰り返す。たとえば、BSは、時間期間405の間に3回、MIB(i+N)のブロードキャストを繰り返し得る。
【００５７】
ステップ435において、BS404は次の時間期間(i+N+1)にネットワークに関連付けられたMIB(i+N+1)をブロードキャストし、UE402はMIB(i+N+1)を受信する。
【００５８】
ステップ440において、ネットワークのUE402は、BS404からのブロードキャストをリッスンする。
【００５９】
図5は、本開示のいくつかの実施形態による、例示的なUEによって監視を実行するための方法500のシグナリング図を示す。方法500のステップは、UE115および200ならびにBS105および300など、ワイヤレス通信デバイスのコンピューティングデバイス(たとえば、プロセッサ、処理回路、および/または他の適切な構成要素)によって実行され得る。図示のように、方法500は、いくつかの列挙されるステップを含むが、方法500の実施形態は、列挙されるステップの前、後、および間に追加のステップを含み得る。いくつかの実施形態では、列挙されるステップのうちの1つまたは複数は、省略されてもよく、または異なる順序で実行されてもよい。方法500は、説明を簡単にするために、ネットワーク、たとえば、NRまたはLTEネットワーク内の1つのBSおよび1つのスタンドアロンUEを示すが、本開示の実施形態はより多くのUEおよび/またはBSに拡大し得ることが認識されよう。
【００６０】
ステップ515において、ネットワーク(たとえば、図1のネットワーク100)のUE502は、ネットワークのBS504からのブロードキャストをリッスンする。いくつかの実施形態では、BS504は、更新されたマスタ情報ブロックを周期的にブロードキャストする。たとえば、第1の時間期間(i)に、BS504は、第1のマスタ情報ブロックをブロードキャストし、任意の時間期間とすることができる期間の後、第2の時間期間(i+1)に、BS504は、第1のマスタ情報ブロックとは異なる第2のマスタ情報ブロックをブロードキャストする。いくつかの例では、第1の時間期間と第2の時間期間との間に、マスタ情報ブロックのSFNパラメータおよびCRCパラメータのみが変化し得る。いくつかの例では、マスタ情報ブロックの各パラメータは、1つまたは複数のビットによって表される。
【００６１】
ステップ525において、BS504は、時間期間(2N)においてネットワークに関連付けられた符号化MIB(2N)をブロードキャストする。マスタ情報ブロックは、たとえば、システム帯域幅情報、システムフレーム番号(SFN)、および物理ハイブリッドARQインジケータチャネル(PHICH)構成データを含み得る。マスタ情報ブロックはまた、巡回冗長検査(CRC)などの誤り検出コードを含み得る。いくつかの例では、BSはマスタ情報ブロックを符号化し得る。UE502はマスタ情報ブロックを受信し得、受信された情報ブロックを復号し得る。いくつかの例では、UE502は、ネットワークと同期するために、復号情報ブロックを使用し得る。たとえば、SFNは、LTE/eMTCでは約40ミリ秒(ms)ごとの間隔で、狭帯域のモノのインターネット(NB-IOT: Narrowband-Internet of things)の場合は約640msごとに1だけ増分され得る。いくつかの例では、受信された符号化マスタ情報ブロック(MIB)(2N)のSFNは偶数である。
【００６２】
ステップ530において、ネットワークのUE502は、受信された符号化MIB(2N)を復号する。いくつかの例では、MIBは、一方のサブブロックが他方のサブブロックよりも頻繁に変化し得るような2つのサブブロックを含み得る。復号は、UE200の物理チャネル処理モジュール208またはプロセッサ202によって実行され得る。結果として、偶数のSFNは、受信された符号化MIB(2N)から復号され得る。
【００６３】
ステップ532において、ネットワークのUE502は、BS504からのブロードキャストをリッスンする。いくつかの実施形態では、BS504は、更新されたマスタ情報ブロックを周期的にブロードキャストする。いくつかの例では、第1の時間期間と第2の時間期間との間に、マスタ情報ブロックのSFNパラメータのみが変化し得る。
【００６４】
ステップ535において、時間期間(2N+1)に、BS504はネットワークに関連付けられた符号化MIB(2N+1)をブロードキャストし、UE502はMIB(2N+1)を受信し得る。説明したように、MIB(2N)のSFNは偶数とすることができ、したがって、MIB(2N+1)のSFNは奇数であり得る。
【００６５】
ステップ540において、ネットワークのUE502は、受信された符号化MIB(2N+1)を復号する。復号は、UE200の物理チャネル処理モジュール208またはプロセッサ202によって実行され得る。復号は、MIB(2N)およびMIB(2N+1)のジョイント復号であり得る。復号は、1つのみのビットがMIB(2N)からMIB(2N+1)に変化し得るようにMIB(2N+1)のSFNが奇数であることに基づき得る。いくつかの例では、SFNが約8ビットの長さを含むとき、最下位ビット(LSB)のみが1ビットだけ変化し、したがって、8ビットSFNの変化は00000001によって表され、0は変化なしを表し、1は変化を表す。LSBにおける単一のビット変化の発生は、約1/2の確率を有し得る。いくつかの例では、CRCはMIBに含まれ得るが、SFNの1つのビットの変化に基づいて再計算され得る。一方、MIB(2N+1)がMIB(2N+2)に、8ビットSFNの例では奇数から偶数に変化する場合、SFNはやはり1だけ増加するが、SFNの変化の2進表現は、以下の7つのパターン、11111111、01111111、00111111、00011111、00001111、00000111、および00000011のうちの1つであり得る。ビット変化パターン11111111、01111111、00111111、00011111、00001111、00000111、および0000001の発生の確率は、それぞれ、約1/256、1/256、1/128、1/64、1/32、1/16、1/8、1/4であり得る。いくつかの実施形態では、MIBの中のSFNは各期間において1だけ増分され得、モジュロ関数はネットワークにおける最大SFNの基数に関して増分されたSFNに適用され得ることに留意されたい。
【００６６】
UEは、ジョイント復号中に、第1の受信されたマスタ情報ブロックの中のSFNが奇数であるか偶数であるかを知らないことがある。したがって、UEは、SFNビットパターン変化の様々な組合せ(たとえば、8つの組合せ)を試すことが必要とされることがある。たとえば、第1の受信された期間が偶数のSFNを有していた場合の1つのパターンおよび第1の受信された期間が奇数のSFNを有していた場合の7つのパターン。そのような手法は、UEの複雑性をかなり増大させる可能性がある。
【００６７】
復号複雑性を低減するために、1回目の試行において、UEは、第1の受信された期間におけるMIBが偶数のSFNであったと仮定して、第1の受信された期間および第2の受信された期間におけるMIBのジョイント復号を実行し得る。第1の受信された期間におけるMIBが実際には奇数のSFNであるとき、そのような手法は失敗し得る。その問題を解決するために、1回目の試行が失敗したとき、次の試行において、UEは、第2の受信された期間におけるMIBが偶数のSFNであると再び仮定して、第2の受信された期間および第3の受信された期間におけるMIBのジョイント復号を実行し得る。この手法により、UEにおける復号複雑性は大幅に増大しないことがある。
【００６８】
いくつかの例では、検出性能を改善するために、UEは、第2の受信された期間におけるSFNが奇数のSFNに対応する場合または偶数のSFNに対応する場合の両方の場合にジョイント復号を実行し得る。したがって、いくつかの事例では、2つの受信された期間からのMIBがいくつかのビットパターン(たとえば、上記で説明した8つのパターン)だけ互いに異なるとき、UEは、復号複雑性を低減するために、2つのMIBがビットパターンのサブセット(たとえば、偶数のSFNから奇数のSFNへの移行)だけ互いに異なるという仮定に基づいて、MIBにわたってジョイント復号を実行し得る。いくつかの事例では、UEは、利用可能なメモリ(たとえば、メモリ204)の量および/または電力消費の量などのUEの能力に基づいて、仮定におけるビットパターンのサブセットを選択し得る。いくつかの事例では、UEは、潜在的なビットパターンの発生確率に基づいてサブセットを選択し得る。たとえば、UEは、最も高い発生確率を有するビットパターンを選択し得る。たとえば、8ビットSFNでは、UEがジョイント復号のために1つのビットパターンのみを試すことができる場合、UEは、8つの潜在的なビット変化パターンの中から(たとえば、1/2という)最も高い確率を有するビットパターン00000001を選ぶことがある。しかしながら、UEが2つのビットパターンを試すことができる場合、UEは1/2という最も高い確率を有するビット変化パターン00000001および1/4という2番目に高い確率を有するビットパターン00000011を試すことがある。いくつかの例では、ネットワークは、SFNが偶数であるときにのみ(CRCを計算する前に)PBCHペイロードの非SFNビットを変化させることによって、そのようなUE実装形態を容易にし得る。
【００６９】
ステップ520において、MIBを取得した後、UE502は、ネットワークのBS504との接続を確立するためにランダムアクセス手順を実行することができる。接続を確立した後、UE502およびBS504は通常動作段階に入ることができ、ここで動作データが交換され得る。いくつかの例では、通常動作は、BS504がUE502からのデータを要求することと、UE502が要求に応答することとを含む。いくつかの例では、ステップ520は、UE502がBS504からのデータを要求することと、BS504が要求に応答することとを含む。
【００７０】
ステップ550において、ネットワークのUE502は、BS504からのブロードキャストをリッスンする。
【００７１】
図6は、本開示のいくつかの実施形態による、例示的なUEによって2つのセル間のハンドオーバを実行するための方法600のシグナリング図を示す。方法600のステップは、UE115および200ならびにBS105および300など、ワイヤレス通信デバイスのコンピューティングデバイス(たとえば、プロセッサ、処理回路、および/または他の適切な構成要素)によって実行され得る。図示のように、方法600は、いくつかの列挙されるステップを含むが、方法600の実施形態は、列挙されるステップの前、後、および間に追加のステップを含み得る。いくつかの実施形態では、列挙されるステップのうちの1つまたは複数は、省略されてもよく、または異なる順序で実行されてもよい。方法600は、説明を簡単にするために、ネットワーク、たとえば、NRまたはLTEネットワーク内の2つのBSおよび1つのスタンドアロンUEを示すが、本開示の実施形態はより多くのUEおよび/またはBSに拡大し得ることが認識されよう。
【００７２】
ステップ610において、ネットワーク(たとえば、図1のネットワーク100)のBS604は、ハンドオーバメッセージをネットワークのUE602に送信する。BS604は、ネットワーク内の第1のセルのものであり得る。BS604は、UE602のサービングBSであり得る。第1のセルは、サービングセルと呼ばれることがある。ハンドオーバメッセージは、UE200の物理チャネル処理モジュール208またはプロセッサ202によって処理され得る。
【００７３】
いくつかの実施形態では、ハンドオーバメッセージは、非マルチキャストブロードキャスト単一周波数ネットワーク(非MBSFN)サブフレームに含まれ得る。ハンドオーバメッセージは、第1のセルと第2のセルとの間のハンドオーバに対応し得る。第2のセルは、ターゲットセルと呼ばれることがある。ハンドオーバメッセージは、第2のセルについての構成情報を含み得る。いくつかの例では、第2のセルの受信された構成情報に基づいて、UE602は、第2のセルの第2の基地局606から、基準信号、たとえば、セル固有基準信号(CRS)のタイミングを通知され得る。
【００７４】
ステップ612において、ネットワークのUE602は、BS606からの基準信号をリッスンする。いくつかの例では、UE200のトランシーバ210は、サブフレームに含まれ得るCRSを受信するためにリッスンする。
【００７５】
ステップ615において、ネットワークのUE602は、BS606からの基準信号を受信する。いくつかの例では、UE200のトランシーバ210は、CRSを受信する。いくつかの例では、UE602は、構成情報に基づいて、1つまたは複数のサブフレームに含まれる1つまたは複数のCRSを受信し得る。
【００７６】
ステップ620において、ネットワークのUE602は、受信された基準信号に基づいてチャネル推定を実行する。いくつかの例では、UE200の物理チャネル処理モジュール208またはプロセッサ202は、受信された1つまたは複数のCRSに基づいてチャネル推定を実行する。
【００７７】
いくつかの実施形態では、非MBSFN構成情報は、ハンドオーバ中の第1のセルの構成と第2のセルの構成との間の相関を示す。いくつかの実施形態では、相関は、第1のセルの情報ブロックおよび第2のセルの情報ブロックの1つまたは複数のビットが同じであることを示す。いくつかの例では、相関は、第1のセル(サービングセル)および第2のセル(ターゲットセル)の情報ブロックの既知のビットが同じであることを示し、上記で説明したように、復号器は、復号プロセスを容易にするために、また、より速い復号によってレイテンシを低減し、エネルギーを節約するために、既知のビットを使用し得る。
【００７８】
ステップ625において、MIBを取得した後、UE602は、ネットワークのBS606との接続を確立するためにランダムアクセス手順を実行することができる。接続を確立した後、UE602およびBS606は通常動作段階に入ることができ、ここで動作データが交換され得る。いくつかの例では、通常動作は、BS606がUE602からのデータを要求することと、UE602が要求に応答することとを含む。いくつかの例では、ステップ625は、UE602がBS606からのデータを要求することと、BS606が要求に応答することとを含む。
【００７９】
図7は、本開示のいくつかの実施形態による、例示的なマスタ情報ブロック700のビット構造のブロック図である。マスタ情報ブロック700は、ネットワーク(たとえば、ネットワーク100)内のBS(たとえば、BS105、300、404、504、および604)によってブロードキャストされ得る。いくつかの例では、マスタ情報ブロックは合計K個のビットを含み、ただし、Kは正の整数である。マスタ情報ブロックの中のいくつかのビットは、マスタ情報ブロックの中の他のビットよりも頻繁に変化し得る。たとえば、SFN、CRC、ビームインデックス、予約済みフィールド0、および/または他のパラメータなどの情報を表すビットは、セル基本物理レイヤパラメータ、SIB-1スケジューリング情報、予約済みフィールド1、および/または他のパラメータなどの情報を表すビットよりも頻繁に変化し得る。より高い頻度で変化するビットはある時間期間から次の時間期間に変化し得るが、より低い頻度で変化し得るビットはいくつかの時間期間にわたって同じままである。マスタ情報ブロックのビットのうちのいくつか、たとえば、ビット712は、符号化マスタ情報ブロックの復号器に知られていないことがある。逆に、ビットのうちのいくつか、たとえば、ビット713は、復号器に知られているか、または少なくとも復号器によって予測可能であることがある。いくつかの例では、復号器は、復号プロセスを容易にして、より速い復号を行うことによってレイテンシを低減し、エネルギーを節約するために、復号プロセスの一部として既知のビットまたは予測可能なビットを使用し得る。加えて、既知のビットの使用は、より信頼性が高い復号されたパラメータを提供し得る。
【００８０】
いくつかの例では、既知のビットは、前に受信されたまたは先行するマスタ情報ブロックから抽出され、既知のビットは、現在受信された符号化マスタ情報ブロックの復号に使用され得る。いくつかの事例では、前に受信されたマスタ情報ブロックから抽出された既知のビットは、復号器によってアクセス可能なメモリに記憶されるかまたはバッファされ得る(たとえば、復号器およびメモリはUEにあり得る)。マスタ情報ブロック700を受信すると、復号器は、既知のビットがメモリに記憶されているかまたはバッファされていると決定し得、記憶されたまたはバッファされた既知のビットを復号のために取り出し得る。
【００８１】
いくつかの例では、復号器は、既知のビットがどのように変化しているかを知っていることがあり、先行するマスタ情報ブロックの既知のビットに基づいて、現在受信されたマスタ情報ブロックの中のビットを予測することがある。いくつかの例では、ネイバーセルの情報ブロックを復号するために、UEは、ハンドオーバプロセスの間にサービングセルから受信されたハンドオーバメッセージから近隣セルPBCHの既知のビットを取得することがあるか、または近隣セルPBCHのいくつかの情報ビットがサービングセルPBCHと同じであると仮定することがある。たとえば、UEは、近隣セルの帯域幅がサービングセルの帯域幅と同じであると仮定することがある。既知のビットを使用することによってPBCH/SIBに対するUEの復号器性能の改善を容易にするために、ネットワークは、PBCH/SIBビットについてのハンドオーバメッセージにおいて、本来ならハンドオーバのためにUEによって必要とされ得ない情報をブロードキャストすることがある。
【００８２】
図8は、本開示のいくつかの実施形態による、例示的なマスタ情報ブロック800のビット構造のブロック図である。述べたように、マスタ情報ブロック800は、他のビット812ならびにシステムフレーム番号(SFN)ビット823を含み得る。いくつかの例では、SFNは、マスタ情報ブロックの頻繁に変化する情報の一部である。しかしながら、SFNの変化は復号器によって予測され得る。たとえば、マスタ情報ブロックのSFNが偶数である場合、直後の次のマスタ情報ブロックのSFNは奇数であり得る。
【００８３】
図9は、本開示のいくつかの実施形態による、マスタ情報ブロックを復号するための例示的なシステム900のブロック図である。システム900は、UE115および200などのUEに含まれ得る。システム900は、復調ユニット905および915と、復号ユニット910および925と、抽出器ユニット930とを含む。いくつかの例では、システム900の復調ユニット905および915、復号ユニット910および925、ならびに抽出器ユニット930は、UE200のプロセッサ202および/または物理チャネル処理モジュール208によって実装される。
【００８４】
復調ユニット905は、時間期間(i)にPBCH信号902を受信するように構成される。受信されたPBCH信号902は、符号化MIB(たとえば、MIB700および800)を含み得る。復調ユニット905は、たとえば、符号化MIBに関連付けられたコードワードに対応する複数の対数尤度比(LLR)904を出すために、受信されたPBCH信号902を復調するように構成される。
【００８５】
復号ユニット910は、LLR904を受信して、時間期間(i)に対応するマスタ情報ブロック906を再現するように構成される。いくつかの実施形態では、PBCH信号902は、通信チャネル、たとえば、PBCHを通じて、BS105および300などのBSによって送信され、UEのトランシーバ210などの受信機によって受信される。したがって、雑音はPBCH信号902の送信および受信に関連付けられ得、マスタ情報ブロック906はマスタ情報ブロックの推定であり得る。生成された、たとえば、推定されたマスタ情報ブロック906は、時間期間(i)におけるUEを図1のネットワーク100などのネットワークと同期させるために、UEによって使用され得る。復号ユニット910は、基地局の符号化器または基地局によって使用される符号化アルゴリズムに基づいて復号を実施し得る。いくつかの例では、任意のタイプの符号化および対応する復号が使用され得る。
【００８６】
時間期間(i)において、抽出器ユニット930は、推定されたマスタ情報ブロック906から既知のビットを抽出するように構成され、既知のビットを復号ユニット925に提供し得る。いくつかの例では、既知のビットは、ある時間期間から次の時間期間に変化しないマスタ情報ブロックの1つまたは複数のフィールドに対応し得る。いくつかの例では、既知のビットは、ある時間期間から次の時間期間に予測され得るマスタ情報ブロックの1つまたは複数のフィールドに対応し得る。
【００８７】
復調ユニット915は、復調ユニット905と実質的に同様であり得る。いくつかの例では、復調ユニット905および915は、同じ復調ユニットに対応し得る。時間期間(i+N)(ただし、Nは1以上の整数である)において、復調ユニット915は、別のPBCH信号908を受信し得る。受信されたPBCH信号908は、時間期間(i+N)に関連付けられた符号化MIBを含み得る。復調ユニット915は、時間期間(i+N)における符号化MIBに関連付けられたコードワードに対応するLLR912を出すために、受信されたPBCH信号908を復調し得る。
【００８８】
時間期間(i+N)において、復号ユニット925は、抽出器ユニット930から既知のビットを受信し得る。復号ユニット925は、LLR912を受信し得、受信された既知のビットを使用して、時間期間(i+N)に対応するマスタ情報ブロック918を再現し得る。いくつかの実施形態では、PBCH信号908は、通信チャネル、たとえば、PBCHを通じて、BS105および300などのBSによって送信され、UEのトランシーバ210などの受信機によって受信される。したがって、説明したように、マスタ情報ブロック918は、既知のビットに少なくとも基づいて復号され得る。復号プロセスの一部における既知のビットの使用は、レイテンシを低減し、エネルギーを節約するために、復号プロセスを容易にし得る。
【００８９】
同期位相を通るUEは、アイドル状態でPBCH信号を継続的にかつ繰り返し復号することが必要とされることがあり、このことは、特にURLLCおよび/またはmMTCの場合に、復号レイテンシ、効率の損失、および電力消費を引き起こすことがある。説明したように、UEにおいて、符号化マスタ情報ブロックから時間期間(i+N)におけるマスタ情報ブロック918を生成することは、マスタ情報ブロック906の既知のビットを使用することによって達成され、したがって、電力を節約し、UEのレイテンシを改善し得る。
【００９０】
説明したように、PBCH信号の送信および受信は雑音を伴い、したがって、復号マスタ情報ブロック918は、時間期間(i+N)における推定されたマスタ情報ブロックであり得る。
【００９１】
いくつかの実施形態では、(たとえば、第1の符号化情報ブロックを搬送する)PBCH信号902を受信するステップは、第1の時間期間(i)の間に物理ブロードキャストチャネルから第1の符号化情報ブロックを受信するステップを含み得る。(たとえば、第2の符号化情報ブロックを搬送する)PBCH信号908を受信するステップは、第1の時間期間の後の第2の時間期間(i+N)の間に物理ブロードキャストチャネルから第2の符号化情報ブロックを受信するステップを含み得る。
【００９２】
図10は、本開示のいくつかの実施形態による、マスタ情報ブロックを復号するための例示的なシステム1000のブロック図である。システム1000は、復調ユニット1005および1015と、ジョイント復号器1010とを含む。いくつかの例では、復調ユニット1005/1015およびジョイント復号器1010は、UE200のプロセッサ202および/または物理チャネル処理モジュール208によって実装され得る。
【００９３】
システム900と同様に、復調ユニット1005は、時間期間(i)にPBCH信号1002を受信するように構成される。PBCH信号1002は、符号化MIB(たとえば、MIB700および800)を含み得る。復調ユニット1005は、たとえば、符号化MIBに関連付けられたコードワードに対応する複数のLLR1004を出すために、受信されたPBCH信号1002を復調するように構成される。
【００９４】
復調ユニット1015は、復調ユニット1005と実質的に同様であり得る。いくつかの例では、復調ユニット1005および1015は、同じ復調ユニットに対応し得る。時間期間(i+N)(ただし、Nは1以上の整数である)において、復調ユニット1015は、別のPBCH信号1008を受信し得る。受信されたPBCH信号1008は、時間期間(i+N)に関連付けられた符号化MIBを含み得る。復調ユニット1015は、時間期間(i+N)における符号化MIBに関連付けられたコードワードに対応するLLR1012を出すために、受信されたPBCH信号1008を復調し得る。
【００９５】
いくつかの実施形態では、ジョイント復号器1010は、LLR1004および1012を受信し、LLR1004および1012に対してジョイント復号を実行して、時間期間(i)に対応するマスタ情報ブロック1006および時間期間(i+N)に対応するマスタ情報ブロック1018を再現するように構成される。UEは、復号マスタ情報ブロック1006および1018に基づいて、図1のネットワーク100などのネットワークと同期し得る。
【００９６】
たとえば、ジョイント復号器1010は、以下を実行することができる。ジョイント復号器1010が偶数のSFNに対応するLLR1004のブロックを受信するとき、ジョイント復号器1010はLLR1004の個別の復号を実施する。しかしながら、ジョイント復号器1010が奇数のSFNに対応するLLR1012のブロックを受信するとき、ジョイント復号器1010はジョイント復号を実施し、先行するマスタ情報ブロックの情報を使用する。いくつかの例では、SFNは、連続するマスタ情報ブロック間で変化する唯一のパラメータであり得、したがって、偶数のSFNに対応するマスタ情報ブロックから偶数のSFNの直後の奇数のSFNに対応するマスタ情報ブロックに、マスタ情報ブロックの1つのビットのみが変化し得る。いくつかの例では、テールバイティング畳み込みコード(TBCC)などのチャネルコードが後に続くCRCは、符号化MIBを取得するために使用される。CRCおよびTBCCは両方とも線形コードである。CRCおよびチャネルコードはまた、一緒に線形ブロックコードを形成する。線形ブロックコードの場合、2つの異なるペイロードの符号化ビットにおける変化は、同じ線形ブロックコードを使用してペイロードの差分を符号化することによって取得され得る。したがって、次の送信のための符号化マスタ情報ブロックは、マスタ情報ブロックの変化に基づいて計算され得、次のマスタ情報ブロックが推定され得る。いくつかの例では、奇数のSFNに対応するマスタ情報ブロックは、偶数のSFNのマスタ情報ブロックから予想される、たとえば、推定されることが可能であり、この情報は、奇数のSFNの符号化マスタ情報ブロックの復号を容易にするために使用され得、レイテンシを低減し、UEの電力を節約し得る。
【００９７】
UEは、必ずしも受信されたMIBブロックが偶数のSFNを含むか奇数のSFNを含むかに気づいているとは限らないことがある。復号器の複雑さを低減するために、UEは、第1の受信されたブロックが偶数のSFNを含み、第2の受信されたブロックが奇数のSFNを含み、したがって、ペイロード中に1つのみのビット変化があると仮定することがある。第1の受信されたブロックの実際のSFNが偶数であり、第2の受信されたブロックの実際のSFNが奇数である場合、ジョイント復号は予想通りに成功し得る。しかし、第1の受信されたブロック内のSFNが仮定されたように偶数ではなく奇数である場合、ジョイント復号は失敗し得る。加えて、上記で説明したように、UEが十分な処理能力量を有する場合、UEは、偶数から奇数へのSFN変化に対する単一のビット変化パターンの代わりに、複数のSFN変化の仮説(たとえば、より多くのペイロード変化ビットパターン)を用いて復号しようと試みることがある。
【００９８】
図11は、本開示のいくつかの実施形態による、例示的なUEによって情報ブロック、たとえば、マスタ情報ブロックを受信する方法1100の流れ図である。方法1100のステップは、UE115および200などの、ワイヤレス通信デバイスのコンピューティングデバイス(たとえば、プロセッサ、処理回路、および/または他の適切な構成要素)によって実行され得る。図示のように、方法1100は、いくつかの列挙されるステップを含むが、方法1100の実施形態は、列挙されるステップの前、後、および間に追加のステップを含み得る。いくつかの実施形態では、列挙されるステップのうちの1つまたは複数は、省略されてもよく、または異なる順序で実行されてもよい。
【００９９】
ステップ1110において、方法1100は、ワイヤレス通信デバイスによって、符号化情報ブロックを受信するステップを含む。ワイヤレス通信デバイスは、スタンドアロンUE、たとえば、NR UEであり得る。いくつかの例では、受信するステップは、たとえば、UE200のトランシーバ210によって実行される。
【０１００】
ステップ1120において、方法1100は、ワイヤレス通信デバイスによって、符号化情報ブロックを復号して、情報ブロックの1つまたは複数の既知のビットに基づいて情報ブロックを生成するステップを含む。いくつかの例では、復号するステップは、たとえば、UE200のトランシーバ210によって実行される。いくつかの例では、情報ブロックの既知のビットに基づいて復号することは、復号プロセスを容易にし、レイテンシを改善し、エネルギーを節約する。
【０１０１】
いくつかの例では、方法1100は、ワイヤレス通信デバイスUE200によって、第2の符号化情報ブロックを受信するステップを含む。方法1100は、ワイヤレス通信デバイスUE200によって、第2の符号化情報ブロックを復号して、第2の情報ブロックを生成するステップと、第2の情報ブロックから、図7に関して説明したような1つまたは複数の既知のビット713を抽出するステップとをさらに含む。ビット抽出は、たとえば、図9の抽出器ユニット930によって実行され得る。いくつかの例では、第2の符号化情報ブロックは、第1の符号化情報ブロックの前に受信される。
【０１０２】
いくつかの実施形態では、第1の符号化情報ブロック1004を受信するステップは、第1の符号化情報ブロックを搬送する第1の信号を受信するステップを含み、第2の符号化情報ブロック1008を受信するステップは、第2の符号化情報ブロックを搬送する第2の信号を受信するステップを含む。
【０１０３】
再び図9を参照すると、いくつかの実施形態では、第1の情報ブロックの第1の推定値を決定するステップは、第1の符号化マスタ情報ブロックに一致する第1の複数の対数尤度比(LLR)904を出すために復調ユニット905によって第1の信号を復調するステップと、次いで、復号ユニット910によって第1の複数のLLRを復号して、第1の推定値を生成するステップとを含み得る。いくつかの例では、情報ブロックは、UE200のプロセッサ202または物理チャネル処理モジュール208によるシステム情報ブロックまたはマスタ情報ブロックである。
【０１０４】
いくつかの実施形態では、第2の情報ブロックの第2の推定値を決定するステップは、第2の符号化マスタ情報ブロックに一致する第2の複数のLLR912を出すために復調ユニット915によって第2の信号を復調するステップと、次いで、復号ユニット925によって第2の複数のLLRを復号して、UE200のプロセッサ202または物理チャネル処理モジュール208によって第2の推定値918を生成するステップとを含み得る。
【０１０５】
いくつかの実施形態では、復号モジュール925によって復号するステップは、復号を容易にするために既知のビットを使用するステップを含み得る。
【０１０６】
いくつかの実施形態では、方法1100は、第3の符号化情報ブロックを受信し、1つまたは複数の既知のビットに少なくとも基づいて第3の符号化情報ブロックを復号するために、たとえば、UE200によって実行され得る。
【０１０７】
図12は、本開示のいくつかの実施形態による、例示的なUEによってマスタ情報ブロックを受信する方法1200の流れ図である。方法1200のステップは、UE115および200など、ワイヤレス通信デバイスのコンピューティングデバイス(たとえば、プロセッサ、処理回路、および/または他の適切な構成要素)によって実行され得る。図示のように、方法1200は、いくつかの列挙されるステップを含むが、方法1200の実施形態は、列挙されるステップの前、後、および間に追加のステップを含み得る。いくつかの実施形態では、列挙されるステップのうちの1つまたは複数は、省略されてもよく、または異なる順序で実行されてもよい。
【０１０８】
ステップ1210において、方法1200は、ワイヤレス通信デバイスによって、第1の符号化情報ブロックおよび第2の符号化情報ブロックを受信するステップを含む。第1の符号化情報ブロックは偶数のSFNに基づき、第2の符号化情報ブロックは奇数のSFNに基づく。ワイヤレス通信デバイスは、スタンドアロンUEであり得る。いくつかの例では、受信するステップは、たとえば、UE200のトランシーバ210によって実行される。
【０１０９】
ステップ1220において、方法1200は、ワイヤレス通信デバイスによって、第1の符号化情報ブロックおよび第2の符号化情報ブロックをジョイント復号するステップを含む。ジョイント復号するステップは、偶数のSFNに対応する第1の符号化情報ブロックおよび偶数のSFNに対応する第2の符号化情報ブロックに基づいてもよく、したがって、SFNは、第1の情報ブロックと第2の情報ブロックとの間の唯一の変数であって、1つのビットのみが偶数のSFNと偶数のSFNの直後にあり得る奇数のSFNとの間で変化した可能性がある、唯一の変数でもある場合がある。したがって、いくつかの事例では、第1の符号化情報ブロックおよび第2の符号化情報ブロックは、複数の潜在的なビットパターンのうちの1つだけ互いに異なり得る。したがって、ジョイント復号するステップは、第1の符号化情報ブロックおよび第2の符号化情報ブロックが複数のビットパターンのサブセットだけ互いに異なるという仮定に基づいて実行され得る。
【０１１０】
第1の符号化情報ブロックおよび第2の符号化情報ブロックは、ネットワーク、たとえば、NRまたはLTEネットワークから受信され得る。いくつかの例では、受信するステップは、たとえば、UE200のトランシーバ210によって実行される。
【０１１１】
いくつかの実施形態では、再び図10を参照すると、第1の符号化情報ブロック1004を受信するステップは、第1の符号化情報ブロックを搬送する第1の信号を受信するステップを含む。
【０１１２】
いくつかの実施形態では、第1の符号化情報ブロックを受信するステップは、第1の時間期間である2Nの間に物理ブロードキャストチャネルから第1の符号化情報ブロックを受信するステップを含み、第2の符号化情報ブロックを受信するステップは、第1の時間期間の後の第2の時間期間である2N+1の間に物理ブロードキャストチャネルから第2の符号化情報ブロックを受信するステップを含む。第1の符号化情報ブロックは、第1の情報ブロックを符号化することによって生成され得、第2の符号化情報ブロックは、第2の情報ブロックを符号化することによって生成され得る。
【０１１３】
いくつかの実施形態では、方法1200は、偶数のSFNに基づく第3の符号化情報ブロックおよび奇数のSFNに基づく第4の符号化情報ブロックを受信するステップと、第3の符号化情報ブロックおよび第4の符号化情報ブロックをジョイント復号するステップとを含む。
【０１１４】
図13は、本開示のいくつかの実施形態による、例示的なBSによってマスタ情報ブロックを送信する方法1300の流れ図である。方法1300のステップは、BS105および300など、ワイヤレス通信デバイスのコンピューティングデバイス(たとえば、プロセッサ、処理回路、および/または他の適切な構成要素)によって実行され得る。図示のように、方法1300は、いくつかの列挙されるステップを含むが、方法1300の実施形態は、列挙されるステップの前、後、および間に追加のステップを含み得る。いくつかの実施形態では、列挙されるステップのうちの1つまたは複数は、省略されてもよく、または異なる順序で実行されてもよい。
【０１１５】
ステップ1310において、方法1300は、第1のワイヤレス通信デバイスによって、1つまたは複数の既知のビットを含む第1の情報ブロックを生成するステップを含む。第1のワイヤレス通信デバイスは、ネットワーク、たとえば、NRまたはLTEネットワークのBSであり得る。いくつかの例では、情報ブロックは、たとえば、BS300の物理チャネル生成モジュール308および/またはプロセッサ302によって生成される。いくつかの例では、既知のビットは、ある時間期間から次の時間期間に変化し得ないマスタ情報ブロックのビットであり、したがって、前の復号マスタ情報ブロックから既知のビットを抽出することによって、予想される復号器、たとえば、BS300の物理チャネル生成モジュール308またはプロセッサ302は、次のマスタ情報ブロックを復号するときに既知のビットを知ることができる。いくつかの他の例では、既知のビットはある時間期間から次の時間期間に変化し得るが、予想されることが可能である。したがって、前の復号マスタ情報ブロックから既知のビットを抽出することによって、予想される復号器は、次のマスタ情報ブロックの既知のビットを予測し得る。
【０１１６】
ステップ1320において、方法1300は、第1のワイヤレス通信デバイスによって、第1の情報ブロックを符号化して、第1の符号化情報ブロックを形成するステップを含む。述べたように、第1のワイヤレス通信デバイスは、ネットワーク、たとえば、NRまたはLTEネットワークのBSであり得る。いくつかの例では、符号化するステップは、たとえば、BS300の物理チャネル生成モジュール308および/またはプロセッサ302によって実行される。
【０１１７】
ステップ1330において、方法1300は、第1のワイヤレス通信デバイスによって、第1の符号化情報ブロックを第2の通信デバイスに送信するステップを含む。UE200とすることができる第2のワイヤレス通信デバイスは、1つまたは複数の既知のビットに基づいて第1の符号化情報ブロックを復号するように構成され得る。
【０１１８】
いくつかの例では、第1の符号化情報ブロックを送信する前に、方法1300は、第2のワイヤレス通信デバイス、たとえば、UE200が第2の符号化情報ブロックから1つまたは複数の既知のビットを抽出するように構成されるように、第2の符号化情報ブロックを送信するステップを実行する。
【０１１９】
いくつかの実施形態では、再び図10を参照すると、第1の符号化情報ブロック1004を送信するステップは、第1の時間期間(i)の間に物理ブロードキャストチャネルを介して第1の符号化情報ブロック1004を送信するステップを含む。第2の符号化情報ブロック1008を送信するステップは、第1の時間期間の後の第2の時間期間(i+N)の間に物理ブロードキャストチャネルを通じて第2の符号化情報ブロック1008を送信するステップを含み、ここで、Nは1以上である。
【０１２０】
いくつかの実施形態では、第1の符号化情報ブロック1004を送信するステップは、第1の符号化情報ブロックを搬送する第1の信号を送信するステップを含み、第2の符号化情報ブロック1008を送信するステップは、第2の符号化情報ブロックを搬送する第2の信号を送信するステップを含む。
【０１２１】
いくつかの実施形態では、方法1300における第1の符号化情報ブロックを送信するステップは、第1の時間期間の間に物理ブロードキャストチャネルを通じて第1の符号化情報ブロックを送信するステップを含む。方法1300における第2の符号化情報ブロックを送信するステップは、第1の時間期間の前の第2の時間期間の間に物理ブロードキャストチャネルを通じて第2の符号化情報ブロックを送信するステップを含む。
【０１２２】
いくつかの実施形態では、方法1300は、1つまたは複数の既知のビットを含む第3の符号化情報ブロックを送信するステップをさらに含む。
【０１２３】
図14は、本開示のいくつかの実施形態による、例示的なUEによってハンドオーバ中にチャネル推定を実行する方法1400の流れ図である。方法1400のステップは、UE115および200など、ワイヤレス通信デバイスのコンピューティングデバイス(たとえば、プロセッサ、処理回路、および/または他の適切な構成要素)によって実行され得る。図示のように、方法1400は、いくつかの列挙されるステップを含むが、方法1400の実施形態は、列挙されるステップの前、後、および間に追加のステップを含み得る。いくつかの実施形態では、列挙されるステップのうちの1つまたは複数は、省略されてもよく、または異なる順序で実行されてもよい。
【０１２４】
ステップ1410において、方法1400は、UEによって、第1のセルの第1の基地局から、ハンドオーバメッセージにおいて、第1のセルと第2のセルとの間のハンドオーバに対応する、第2のセルについての非マルチキャストブロードキャスト単一周波数ネットワーク(非MBSFN)サブフレーム構成情報を受信するステップを含む。第1の基地局は、ネットワーク、たとえば、NRまたはLTEネットワークのBSであってもよく、UEはUE200とすることができる。
【０１２５】
ステップ1420において、方法1400は、第2のセルから、受信された構成情報に基づいて1つまたは複数のサブフレームにおいて1つまたは複数の基準信号を受信するステップを含む。いくつかの例では、基準信号はセル固有基準信号(CRS)であり、CRSはBS、たとえば、第2のセルのBS300から受信され得る。
【０１２６】
ステップ1430において、方法1400は、UEによって、基準信号に基づいて、第2のセルの第2の局に対するチャネル推定を実行するステップを含む。UEはUE200とすることができる。いくつかの例では、信号対雑音比(SNR)は低く、1つまたは複数のCRSは1つまたは複数のサブフレームにおいて受信され、チャネル推定は1つまたは複数のCRSによって実行される。
【０１２７】
情報および信号は、様々な異なる技術および技法のうちのいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１２８】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１２９】
本開示のさらなる実施形態は、ワイヤレス通信デバイスによって、1つまたは複数の既知のビットを受信するステップと、ワイヤレス通信デバイスによって、第1の符号化情報ブロックを受信するステップと、ワイヤレス通信デバイスによって、第1の符号化情報ブロックを復号して、1つまたは複数の既知のビットに基づいて第1の情報ブロックを生成するステップとを備える、ワイヤレス通信の方法を含む。
【０１３０】
いくつかの実施形態では、1つまたは複数の既知のビットを受信するステップは、ワイヤレス通信デバイスによって、第2の符号化情報ブロックを受信するステップと、ワイヤレス通信デバイスによって、第2の符号化情報ブロックを復号して、第2の情報ブロックを生成するステップと、ワイヤレス通信デバイスによって、第2の情報ブロックから1つまたは複数の既知のビットを抽出するステップとを含む。いくつかの実施形態では、第1の符号化情報ブロックを受信するステップは、第1の時間期間の間に物理ブロードキャストチャネルから第1の符号化情報ブロックを受信するステップを含み、第2の符号化情報ブロックを受信するステップは、第1の時間期間の前の第2の時間期間の間に物理ブロードキャストチャネルから第2の符号化情報ブロックを受信するステップを含む。いくつかの実施形態では、1つまたは複数の既知のビットを受信するステップは、ワイヤレス通信デバイスによって、第1のセルの第1の基地局から、1つまたは複数の既知のビットを受信するステップであって、1つまたは複数の既知のビットが、第2のセルに関連付けられる、ステップを含む。いくつかの実施形態では、方法は、ワイヤレス通信デバイスによって、第2のセルの第2の基地局から、第2の符号化情報ブロックを受信するステップと、ワイヤレス通信デバイスによって、第2のセルに関連付けられた1つまたは複数の既知のビットに基づいて第2の符号化情報ブロックを復号するステップとをさらに備える。いくつかの実施形態では、1つまたは複数の既知のビットを受信するステップは、ワイヤレス通信デバイスによって、ハンドオーバメッセージを受信するステップであって、ハンドオーバメッセージが、第1のセルと第2のセルとの間のハンドオーバに対応する、ステップを含む。いくつかの実施形態では、1つまたは複数の既知のビットを受信するステップは、システムフレーム番号(SFN)またはハイパーSFNのうちの少なくとも1つに関する1つまたは複数のビットを受信するステップを含む。いくつかの実施形態では、第2の符号化情報ブロックは、物理ブロードキャストチャネル(PBCH)、システム情報ブロック(SIB)、物理ダウンリンク制御チャネル(PDCCH)、物理ダウンリンク共有チャネル(PDSCH)、物理アップリンク制御チャネル(PUCCH)、または物理ア
ップリンク共有チャネル(PUSCH)のうちの少なくとも1つに関連付けられる。いくつかの実施形態では、第1の符号化情報ブロックを受信するステップは、第1の符号化情報ブロックを搬送する第1の信号を受信するステップを含み、第2の符号化情報ブロックを受信するステップは、第2の符号化情報ブロックを搬送する第2の信号を受信するステップを含み、方法は、ワイヤレス通信デバイスによって、第1の信号から、第1の情報ブロックについての第1の推定値を決定するステップと、ワイヤレス通信デバイスによって、第2の信号から、第2の情報ブロックについての第2の推定値を決定するステップとをさらに備える。いくつかの実施形態では、第1の推定値を決定するステップは、第1の複数の対数尤度比(LLR)を出すために第1の信号を復調するステップと、第1の複数のLLRを復号して、第1の推定値を生成するステップとを含み、第2の推定値を決定するステップは、第2の複数のLLRを出すために第2の信号を復調するステップと、第2の複数のLLRを復号して、第2の推定値を生成するステップとを含む。
【０１３１】
本開示のさらなる実施形態は、ワイヤレス通信デバイスによって、第1の符号化情報ブロックおよび第2の符号化情報ブロックを受信するステップであって、第1の符号化情報ブロックが、偶数のシステムフレーム番号(SFN)に基づき、第2の符号化情報ブロックが、奇数のSFNに基づく、ステップと、ワイヤレス通信デバイスによって、第1の符号化情報ブロックおよび第2の符号化情報ブロックをジョイント復号するステップとを備える、ワイヤレス通信の方法を含む。
【０１３２】
いくつかの実施形態では、奇数のSFNは、偶数のSFNの直後にくる。いくつかの実施形態では、第1の符号化情報ブロックを受信するステップは、第1の時間期間の間に物理ブロードキャストチャネルから第1の符号化情報ブロックを受信するステップを含み、第2の符号化情報ブロックを受信するステップは、第1の時間期間の後の第2の時間期間の間に物理ブロードキャストチャネルから第2の符号化情報ブロックを受信するステップを含み、第1の符号化情報ブロックは、第1の情報ブロックを符号化することによって生成され、第2の符号化情報ブロックは、第2の情報ブロックを符号化することによって生成される。いくつかの実施形態では、第1の符号化情報ブロックを受信するステップは、第1の符号化情報ブロックを搬送する第1の信号を受信するステップを含み、第2の符号化情報ブロックを受信するステップは、第2の符号化情報ブロックを搬送する第2の信号を受信するステップを含み、方法は、ワイヤレス通信デバイスによって、第1の信号から、第1の情報ブロックについての第1の推定値を決定するステップと、ワイヤレス通信デバイスによって、第2の信号から、第2の情報ブロックについての第2の推定値を決定するステップとをさらに備える。いくつかの実施形態では、第1の推定値および第2の推定値を決定するステップは、第1の複数の対数尤度比(LLR)を出すために第1の信号を復調するステップと、第2の複数のLLRを出すために第2の信号を復調するステップと、第1の複数のLLRおよび第2の複数のLLRをジョイント復号して、第1の推定値および第2の推定値を生成するステップとを含む。いくつかの実施形態では、方法は、ワイヤレス通信デバイスによって、偶数のSFNに基づく第3の符号化情報ブロックおよび奇数のSFNに基づく第4の符号化情報ブロックを受信するステップと、ワイヤレス通信デバイスによって、第3の符号化情報ブロックおよび第4の符号化情報ブロックをジョイント復号するステップとをさらに備える。
【０１３３】
本開示のさらなる実施形態は、第1のワイヤレス通信デバイスによって、1つまたは複数の既知のビットを含む第1の情報ブロックを生成するステップと、第1のワイヤレス通信デバイスによって、第1の情報ブロックを符号化して、第1の符号化情報ブロックを形成するステップと、第2のワイヤレス通信デバイスが1つまたは複数の既知のビットに基づいて第1の符号化情報ブロックを復号するように構成されるように、第1のワイヤレス通信デバイスによって、第1の符号化情報ブロックを第2のワイヤレス通信デバイスに送信するステップとを備える、ワイヤレス通信の方法を含む。
【０１３４】
いくつかの実施形態では、第1の符号化情報ブロックを送信するステップの前に、方法は、第2のワイヤレス通信デバイスが第2の符号化情報ブロックから1つまたは複数の既知のビットを抽出するように構成されるように、ワイヤレス通信デバイスによって、第2の符号化情報ブロックを第2のワイヤレス通信デバイスに送信するステップを実行する。いくつかの実施形態では、第1の符号化情報ブロックを送信するステップは、第1の時間期間の間に物理ブロードキャストチャネルを通じて第1の符号化情報ブロックを送信するステップを含み、第2の符号化情報ブロックを送信するステップは、第1の時間期間の前の第2の時間期間の間に物理ブロードキャストチャネルを通じて第2の符号化情報ブロックを送信するステップを含む。いくつかの実施形態では、第1の符号化情報ブロックを送信するステップは、第1の符号化情報ブロックを搬送する第1の信号を送信するステップを含み、第2の符号化情報ブロックを送信するステップは、第2の符号化情報ブロックを搬送する第2の信号を送信するステップを含む。いくつかの実施形態では、方法は、ワイヤレス通信デバイスによって、1つまたは複数の既知のビットを含む第3の符号化情報ブロックを送信するステップをさらに備える。
【０１３５】
本開示のさらなる実施形態は、ユーザ機器(UE)によって、第1のセルの第1の基地局から、ハンドオーバメッセージにおいて、第2のセルについての非マルチキャストブロードキャスト単一周波数ネットワーク(非MBSFN)サブフレーム構成情報を受信するステップであって、ハンドオーバメッセージが、第1のセルと第2のセルとの間のハンドオーバに対応する、ステップと、UEによって、第2のセルの第2の基地局から、受信された構成情報に基づいて1つまたは複数のサブフレームにおいて1つまたは複数の基準信号を受信するステップと、UEによって、1つまたは複数の受信された基準信号および受信された非MBSFNサブフレーム構成情報に基づいてチャネル推定を実行するステップとを備える、ワイヤレス通信の方法を含む。
【０１３６】
いくつかの実施形態では、非MBSFN構成情報は、ハンドオーバ中の第1のセルの構成と第2のセルの構成との間の相関を示す。いくつかの実施形態では、相関は、第1のセルの情報ブロックおよび第2のセルの情報ブロックの1つまたは複数のビットが同じであることを示し、1つまたは複数の既知のビットは、第2のセルの符号化情報ブロックを復号するために使用される。
【０１３７】
本開示のさらなる実施形態は、ワイヤレス通信デバイスによって、1つまたは複数の既知のビットを受信し、ワイヤレス通信デバイスによって、第1の符号化情報ブロックを受信するように構成された受信機と、受信機と通信しており、第1の符号化情報ブロックを復号して、1つまたは複数の既知のビットに基づいて第1の情報ブロックを生成するように構成されたプロセッサとを備えるワイヤレス通信デバイスを含む。
【０１３８】
いくつかの実施形態では、受信機は、第2の符号化情報ブロックを受信するようにさらに構成され、プロセッサは、第2の符号化情報ブロックを復号して、第2の情報ブロックを生成し、第2の情報ブロックから1つまたは複数の既知のビットを抽出するようにさらに構成される。いくつかの実施形態では、受信機は、第1のセルの第1の基地局から、1つまたは複数の既知のビットを受信することであって、1つまたは複数の既知のビットが、第2のセルに関連付けられる、受信することを行うようにさらに構成される。いくつかの実施形態では、受信機は、第2のセルの第2の基地局から、第2の符号化情報ブロックを受信するようにさらに構成され、プロセッサは、第2のセルに関連付けられた1つまたは複数の既知のビットに基づいて第2の符号化情報ブロックを復号するようにさらに構成される。いくつかの実施形態では、受信機は、ハンドオーバメッセージにおいて1つまたは複数の既知のビットを受信することであって、ハンドオーバメッセージが、第1のセルと第2のセルとの間のハンドオーバに対応する、受信することを行うようにさらに構成される。いくつかの実施形態では、第2の符号化情報ブロックは、物理ブロードキャストチャネル(PBCH)、システム情報ブロック(SIB)、物理ダウンリンク制御チャネル(PDCCH)、物理ダウンリンク共有チャネル(PDSCH)、物理アップリンク制御チャネル(PUCCH)、または物理アップリンク共有チャネル(PUSCH)のうちの少なくとも1つに関連付けられる。
【０１３９】
本開示のさらなる実施形態は、第1の符号化情報ブロックおよび第2の符号化情報ブロックを受信することであって、第1の符号化情報ブロックが、偶数のシステムフレーム番号(SFN)に基づき、第2の符号化情報ブロックが、奇数のSFNに基づく、受信することを行うように構成されたトランシーバと、第1の符号化情報ブロックおよび第2の符号化情報ブロックをジョイント復号するように構成されたプロセッサとを備えるワイヤレス通信デバイスを含む。
【０１４０】
いくつかの実施形態では、トランシーバは、第1の符号化情報ブロックおよび第2の符号化情報ブロックを受信するために物理ブロードキャストチャネルに結合される。
【０１４１】
本開示のさらなる実施形態は、1つまたは複数の既知のビットを含む第1の情報ブロックを生成するように構成されたプロセッサであって、第1の情報ブロックを符号化して、第1の符号化情報ブロックを形成するようにさらに構成されたプロセッサと、第2のワイヤレス通信デバイスが1つまたは複数の既知のビットに基づいて第1の符号化情報ブロックを復号するように構成されるように、第1の符号化情報ブロックを第2のワイヤレス通信デバイスに送信するように構成されたトランシーバとを備えるワイヤレス通信デバイスを含む。
【０１４２】
いくつかの実施形態では、トランシーバは、第2のワイヤレス通信デバイスが第2の符号化情報ブロックから1つまたは複数の既知のビットを抽出するように構成されるように、第2の符号化情報ブロックを第2のワイヤレス通信デバイスに送信するようにさらに構成される。
【０１４３】
本開示のさらなる実施形態は、第1のセルの第1の基地局から、ハンドオーバメッセージにおいて、第2のセルについての非マルチキャストブロードキャスト単一周波数ネットワーク(非MBSFN)サブフレーム構成情報を受信することであって、ハンドオーバメッセージが、第1のセルと第2のセルとの間のハンドオーバに対応する、受信することを行うように構成されたトランシーバであって、第2のセルからの受信された構成情報に基づいて1つまたは複数のサブフレームにおいて1つまたは複数の基準信号を受信するようにさらに構成されたトランシーバと、受信された基準信号に基づいて第2のセルの第2の局とのチャネル推定を実行するように構成されたプロセッサとを備えるワイヤレス通信デバイスを含む。
【０１４４】
いくつかの実施形態では、非MBSFN構成情報は、ハンドオーバ中の第1のセルの構成と第2のセルの構成との間の相関を示す。いくつかの実施形態では、相関は、第1のセルの情報ブロックおよび第2のセルの情報ブロックの1つまたは複数のビットが同じであることを示し、プロセッサは、第2のセルの符号化情報ブロックを復号するために1つまたは複数の既知のビットを使用するようにさらに構成される。
【０１４５】
本開示のさらなる実施形態は、1つまたは複数の既知のビットを受信するための手段(たとえば、トランシーバ210およびアンテナ216)と、第1の符号化情報ブロックを受信するための手段と、第1の符号化情報ブロックを復号して、1つまたは複数の既知のビットに基づいて第1の情報ブロックを生成するための手段(たとえば、プロセッサ202)とを備えるワイヤレス通信デバイスを含む。
【０１４６】
いくつかの実施形態では、1つまたは複数の既知のビットを受信するための手段は、第2の符号化情報ブロックを受信するための手段と、第2の符号化情報ブロックを復号して、第2の情報ブロックを生成するための手段と、第2の情報ブロックから1つまたは複数の既知のビットを抽出するための手段とを含む。いくつかの実施形態では、1つまたは複数の既知のビットを受信するための手段は、第1のセルの第1の基地局から、1つまたは複数の既知のビットを受信するための手段であって、1つまたは複数の既知のビットが、第2のセルに関連付けられる、手段を含む。いくつかの実施形態では、ワイヤレス通信デバイスは、第2のセルの第2の基地局から、第2の符号化情報ブロックを受信するための手段と、第2のセルに関連付けられた1つまたは複数の既知のビットに基づいて第2の符号化情報ブロックを復号するための手段とをさらに備える。1つまたは複数の既知のビットを受信するための手段は、ハンドオーバメッセージを受信するための手段であって、ハンドオーバメッセージが、第1のセルと第2のセルとの間のハンドオーバに対応する、手段を含む。
【０１４７】
本開示のさらなる実施形態は、第1の符号化情報ブロックおよび第2の符号化情報ブロックを受信するための手段(たとえば、トランシーバ210およびアンテナ216)であって、第1の符号化情報ブロックが、偶数のシステムフレーム番号(SFN)に基づき、第2の符号化情報ブロックが、奇数のSFNに基づく、手段と、第1の符号化情報ブロックおよび第2の符号化情報ブロックをジョイント復号するための手段(たとえば、プロセッサ202)とを備えるワイヤレス通信デバイスを含む。
【０１４８】
いくつかの実施形態では、ワイヤレス通信デバイスは、偶数のSFNに基づく第3の符号化情報ブロックおよび奇数のSFNに基づく第4の符号化情報ブロックを受信するための手段と、第3の符号化情報ブロックおよび第4の符号化情報ブロックをジョイント復号するための手段とをさらに備える。
【０１４９】
本開示のさらなる実施形態は、1つまたは複数の既知のビットを含む第1の情報ブロックを生成するための手段(たとえば、プロセッサ302)と、第1の情報ブロックを符号化して、第1の符号化情報ブロックを形成するための手段(たとえば、プロセッサ302)と、第2のワイヤレス通信デバイスが1つまたは複数の既知のビットに基づいて第1の符号化情報ブロックを復号するように構成されるように、第1の符号化情報ブロックを第2のワイヤレス通信デバイスに送信するための手段(たとえば、トランシーバ310およびアンテナ316)とを備えるワイヤレス通信デバイスを含む。
【０１５０】
本開示のさらなる実施形態は、第1のセルの第1の基地局から、ハンドオーバメッセージにおいて、第2のセルについての非マルチキャストブロードキャスト単一周波数ネットワーク(非MBSFN)サブフレーム構成情報を受信するための手段(たとえば、トランシーバ210およびアンテナ216)であって、ハンドオーバメッセージが、第1のセルと第2のセルとの間のハンドオーバに対応する、手段と、第2のセルの第2の基地局から、受信された構成情報に基づいて1つまたは複数のサブフレームにおいて1つまたは複数の基準信号を受信するための手段と、1つまたは複数の受信された基準信号および受信された非MBSFNサブフレーム構成情報に基づいてチャネル推定を実行するための手段(たとえば、プロセッサ202)とを備えるワイヤレス通信デバイスを含む。
【０１５１】
本開示のさらなる実施形態は、プログラムコードを記録した非一時的コンピュータ可読媒体を含み、プログラムコードは、第1のワイヤレス通信デバイスに、1つまたは複数の既知のビットを受信させるためのコードと、第1のワイヤレス通信デバイスに、第1の符号化情報ブロックを受信させるためのコードと、第1のワイヤレス通信デバイスに、第1の符号化情報ブロックを復号させて、1つまたは複数の既知のビットに基づいて第1の情報ブロックを生成させるためのコードとを備える。
【０１５２】
いくつかの実施形態では、第1のワイヤレス通信デバイスに、1つまたは複数の既知のビットを受信させるためのコードは、第1のワイヤレス通信デバイスに、第2の符号化情報ブロックを受信させるためのコードと、第1のワイヤレス通信デバイスに、第2の符号化情報ブロックを復号させて、第2の情報ブロックを生成させるためのコードと、第1のワイヤレス通信デバイスに、第2の情報ブロックから1つまたは複数の既知のビットを抽出させるためのコードとを含む。いくつかの実施形態では、第1のワイヤレス通信デバイスに、1つまたは複数の既知のビットを受信させるためのコードは、第1のワイヤレス通信デバイスに、第1のセルの第1の基地局から、1つまたは複数の既知のビットを受信させるためのコードであって、1つまたは複数の既知のビットが、第2のセルに関連付けられる、コードを含む。いくつかの実施形態では、プログラムコードは、第1のワイヤレス通信デバイスに、第2のセルの第2の基地局から、第2の符号化情報ブロックを受信させるためのコードと、第1のワイヤレス通信デバイスに、第2のセルに関連付けられた1つまたは複数の既知のビットに基づいて第2の符号化情報ブロックを復号させるためのコードとをさらに備える。いくつかの実施形態では、第1のワイヤレス通信デバイスに、1つまたは複数の既知のビットを受信させるためのコードは、第1のワイヤレス通信デバイスに、ハンドオーバメッセージを受信させるためのコードであって、ハンドオーバメッセージが、第1のセルと第2のセルとの間のハンドオーバに対応する、コードを含む。
【０１５３】
本開示のさらなる実施形態は、プログラムコードを記録した非一時的コンピュータ可読媒体を含み、プログラムコードは、第1のワイヤレス通信デバイスに、第1の符号化情報ブロックおよび第2の符号化情報ブロックを受信させるためのコードであって、第1の符号化情報ブロックが、偶数のシステムフレーム番号(SFN)に基づき、第2の符号化情報ブロックが、奇数のSFNに基づく、コードと、第1のワイヤレス通信デバイスに、第1の符号化情報ブロックおよび第2の符号化情報ブロックをジョイント復号させるためのコードとを備える。
【０１５４】
いくつかの実施形態では、プログラムコードは、第1のワイヤレス通信デバイスに、偶数のSFNに基づく第3の符号化情報ブロックおよび奇数のSFNに基づく第4の符号化情報ブロックを受信させるためのコードと、第1のワイヤレス通信デバイスに、第3の符号化情報ブロックおよび第4の符号化情報ブロックをジョイント復号させるためのコードとをさらに備える。
【０１５５】
本開示のさらなる実施形態は、プログラムコードを記録した非一時的コンピュータ可読媒体を含み、プログラムコードは、第1のワイヤレス通信デバイスに、1つまたは複数の既知のビットを含む第1の情報ブロックを生成させるためのコードと、第1のワイヤレス通信デバイスに、第1の情報ブロックを符号化させて、第1の符号化情報ブロックを形成させるためのコードと、第2のワイヤレス通信デバイスが1つまたは複数の既知のビットに基づいて第1の符号化情報ブロックを復号するように構成されるように、第1のワイヤレス通信デバイスに、第1の符号化情報ブロックを第2のワイヤレス通信デバイスに送信させるためのコードとを備える。
【０１５６】
本開示のさらなる実施形態は、プログラムコードを記録した非一時的コンピュータ可読媒体を含み、プログラムコードは、第1のワイヤレス通信デバイスに、第1のセルの第1の基地局から、ハンドオーバメッセージにおいて、第2のセルについての非マルチキャストブロードキャスト単一周波数ネットワーク(非MBSFN)サブフレーム構成情報を受信させるためのコードであって、ハンドオーバメッセージが、第1のセルと第2のセルとの間のハンドオーバに対応する、コードと、第1のワイヤレス通信デバイスに、第2のセルの第2の基地局から、受信された構成情報に基づいて1つまたは複数のサブフレームにおいて1つまたは複数の基準信号を受信させるためのコードと、第1のワイヤレス通信デバイスに、1つまたは複数の受信された基準信号および受信された非MBSFNサブフレーム構成情報に基づいてチャネル推定を実行させるためのコードとを備える。
【０１５７】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして、コンピュータ可読媒体上に記憶されるか、またはコンピュータ可読媒体を介して送信され得る。他の例および実装形態は、本開示および添付の特許請求の範囲の範囲内に入る。たとえば、ソフトウェアの性質に起因して、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲内を含めて本明細書で使用する場合、項目のリスト(たとえば、「のうちの少なくとも1つ」または「のうちの1つまたは複数」などの句で終わる項目のリスト)において使用される「または」は、たとえば、[A、B、またはCのうちの少なくとも1つ]のリストがAまたはBまたはCまたはABまたはACまたはBCまたはABC(すなわち、AおよびBおよびC)を意味するような包括的リストを示す。
【０１５８】
当業者が今では諒解するであろうように、また当面の特定の適用例に応じて、本開示の趣旨および範囲から逸脱することなく、本開示のデバイスの材料、装置、構成および使用方法において、かつそれらに対して、多くの修正、置換および変形が行われ得る。このことに照らして、本明細書で図示および説明する特定の実施形態は、それらのいくつかの例によるものにすぎないので、本開示の範囲はそのような特定の実施形態の範囲に限定されるべきではなく、むしろ、以下に添付される特許請求の範囲およびそれらの機能的等価物の範囲と完全に同じであるべきである。
【符号の説明】
【０１５９】
100  ワイヤレス通信ネットワーク、ネットワーク
105、105a、105b、105c、105d  BS
110  地理的カバレージエリア
110a、110b、110c、110d  カバレージエリア
115  UE
125  通信リンク
130  コアネットワーク
132  バックホールリンク
134  バックホールリンク
200  ワイヤレス通信デバイス、UE
202  プロセッサ
204  メモリ
206  命令
208  物理チャネル処理モジュール
210  トランシーバ
212  モデムサブシステム
214  無線周波数(RF)ユニット、RFユニット
216  アンテナ
300  BS
302  プロセッサ
304  メモリ
306  命令
308  物理チャネル生成モジュール
310  トランシーバ
312  モデムサブシステム
314  RFユニット
316  アンテナ
400  方法
402  UE
404  BS
405  時間期間
500  方法
502  UE
504  BS
600  方法
602  UE
604  BS
606  第2の基地局、BS
700  マスタ情報ブロック、MIB
712  ビット
713  ビット、既知のビット
800  マスタ情報ブロック、MIB
812  他のビット
823  システムフレーム番号(SFN)ビット
900  システム
902  PBCH信号
904  対数尤度比(LLR)、LLR
905  復調ユニット
906  マスタ情報ブロック
908  PBCH信号
910  復号ユニット
912  LLR
915  復調ユニット
918  マスタ情報ブロック、第2の推定値
925  復号ユニット
930  抽出器ユニット
1000  システム
1002  PBCH信号
1004  LLR、第1の符号化情報ブロック
1005  復調ユニット
1006  マスタ情報ブロック
1008  PBCH信号、第2の符号化情報ブロック
1010  ジョイント復号器
1012  LLR
1015  復調ユニット
1018  マスタ情報ブロック
1100  方法
1200  方法
1300  方法
1400  方法
【図１】
2020520599.tif 000003
【図２】
2020520599.tif 000004
【図３】
2020520599.tif 000005
【図４】
2020520599.tif 000006
【図５】
2020520599.tif 000007
【図６】
2020520599.tif 000008
【図７】
2020520599.tif 000009
【図８】
2020520599.tif 000010
【図９】
2020520599.tif 000011
【図１０】
2020520599.tif 000012
【図１１】
2020520599.tif 000013
【図１２】
2020520599.tif 000014
【図１３】
2020520599.tif 000015
【図１４】
2020520599.tif 000016
【国際調査報告】
2020520599.tif 000017
2020520599.tif 000018
2020520599.tif 000019
2020520599.tif 000020
2020520599.tif 000021